(57)【要約】【課題】  芳香効果付与機能、冷感付与機能、爽快感付与機能、保湿効果付与機能等、通常のシャワー機能以外の機能を長期にわたって安定的に持続することができる機能付シャワー装置の提供【解決手段】  機能付シャワー装置は、シャワーヘッド２００に設けられ、給水源からの水を吐出自在なシャワー吐水部と、シャワーヘッド２００においてシャワー吐水部に隣接して設けられ、給水源からの水に機能剤を混合して吐出自在な機能剤吐水部と、機能剤吐水部に作用的に接続して設けられ、機能剤吐水部の単位吐水量が、シャワー吐水部の単位吐水量より小さくなるよう、機能剤吐水部の単位吐水量を制御する定流量弁２４７とを備える。【選択図】  図１
2006187378.tif 000002
【特許請求の範囲】
【請求項１】
給水源に接続され、前記給水源からの給水を通水自在な接続部と、
前記接続部に接続され、前記接続部からの給水を通水自在なシャワーヘッドとを備え、
前記接続部は、前記給水源からの原水が流入する入水口と、前記入水口から流入した前記給水源からの原水を浄化する濾過層と、前記入水口と前記濾過層との間に配設した切替弁と、前記給水源からの原水を前記濾過層を通過させることなくそのまま前記シャワーヘッドに供給する原水位置と、前記給水源からの原水を前記濾過層を通過させて浄化した後、その浄水を前記シャワーヘッドに供給する浄水位置との間で前記切替弁を切替自在な切替手段とを有し、
前記シャワーヘッドは、前記接続部からの原水または浄水をシャワー状に吐出自在なシャワー吐水部と、前記シャワー吐水部に隣接して設けられ、前記原水または浄水に機能剤を溶解して吐出自在な機能剤吐水部と、前記接続部からの原水または浄水を前記シャワー吐水部または機能剤吐水部に対して選択的に切替えて供給する切替手段とを有する
ことを特徴とする機能付シャワー装置。
【請求項２】
更に、前記機能剤吐水部に作用的に接続して設けられ、前記機能剤吐水部の単位吐水量が、前記シャワー吐水部の単位吐水量より小さくなるよう、前記機能剤吐水部の単位吐水量を制御する吐水量制御手段を備えることを特徴とする請求項１記載の機能付シャワー装置。
【請求項３】
シャワーヘッドに設けられ、給水源からの水を吐出自在なシャワー吐水部と、
前記シャワーヘッドにおいて前記シャワー吐水部に隣接して設けられ、前記給水源からの水に機能剤を混合して吐出自在な機能剤吐水部と、
前記機能剤吐水部に作用的に接続して設けられ、前記機能剤吐水部の単位吐水量が、前記シャワー吐水部の単位吐水量より小さくなるよう、前記機能剤吐水部の単位吐水量を制御する吐水量制御手段と
を備えることを特徴とする機能付シャワー装置。
【請求項４】
給水源に接続され、前記給水源からの給水を通水自在な接続部と、
前記接続部に接続され、前記接続部からの給水を通水自在なシャワーヘッドとを備え、
前記接続部は、前記給水源からの原水が流入する入水口と、前記入水口から流入した前記給水源からの原水を浄化する濾過層と、前記入水口と前記濾過層との間に配設した切替弁と、前記給水源からの原水を前記濾過層を通過させることなくそのまま前記シャワーヘッドに供給する原水位置と、前記給水源からの原水を前記濾過層を通過させて浄化した後、その浄水を前記シャワーヘッドに供給する浄水位置との間で前記切替弁を切替自在な切替手段とを有し、
前記シャワーヘッドは、前記接続部からの原水または浄水をシャワー状に吐出自在なシャワー吐水部と、前記シャワー吐水部に隣接して設けられ、前記原水または浄水に機能剤を溶解して吐出自在な機能剤吐水部と、前記接続部からの原水または浄水を前記シャワー吐水部または機能剤吐水部に対して選択的に切替えて供給する切替手段と、前記機能剤吐水部の入口に配設され、前記機能剤吐水部の単位吐水量が、前記シャワー吐水部の単位吐水量より小さくなるよう、前記機能剤吐水部の単位吐水量を制御する吐水量制御手段とを有する
ことを特徴とする機能付シャワー装置。
【請求項５】
前記吐水量制御手段は、前記機能剤吐水部の単位吐水量を、前記シャワー吐水部の単位吐水量の約１／２以下となるよう制御することを特徴とする請求項２乃至４のいずれか１項記載の機能付シャワー装置。
【請求項６】
前記吐水量制御手段は、前記機能剤吐水部の単位吐水量を、前記シャワー吐水部の単位吐水量の約１／８〜約１／１５の範囲内となるよう制御することを特徴とする請求項２乃至４のいずれか１項記載の機能付シャワー装置。
【請求項７】
前記吐水量制御手段は、前記機能剤吐水部の単位吐水量を、毎分約０．５〜２リットルの範囲内となるよう制御することを特徴とする請求項２乃至４のいずれか１項記載の機能付シャワー装置。
【請求項８】
前記機能剤吐水部は、
前記シャワーヘッド内に収容され、前記シャワーヘッドの軸心に沿って延びる複数の筒状の通水部を有するケースと、
前記ケースの通水部にそれぞれ収容配置され、前記通水部に沿って延びる柱状をなす複数の機能剤放出体とを含み、
前記各機能剤放出体は前記機能剤を含有し、前記通水部への通水に伴い前記各機能剤放出体がその表面から前記機能剤を放出して前記通水に溶解させることを特徴とする請求項1乃至７のいずれか1項記載の機能付シャワー装置。
【請求項９】
前記ケースは、前記シャワーケースと同軸状に配置されると共に、前記各通水部は一定の断面形状で軸心方向に延びる筒状をなし、
前記各機能剤放出体は、前記各通水部内に収容されて、その外周面全体と前記通水部の内周面全体との間に、軸心方向の全長にわたって延びる通水空間を形成する柱状の多孔質体からなり、
前記機能剤は、前記多孔質体に含浸した液状機能剤からなることを特徴とする請求項８記載の機能付シャワー装置。
【請求項１０】
前記ケースの各通水部の内径を前記各機能剤放出体の外径より大きくすると共に、前記通水部に流入した水が前記機能剤放出体の外周面を螺旋状態で接触して通過するよう、前記通水部の内周面形状及び前記機能剤放出体の外周面形状を設定したことを特徴とする請求項９記載の機能付シャワー装置。
【請求項１１】
前記ケースの各通水部を断面多角形の筒状とすると共に、前記各機能剤放出体を円柱状とすることにより、前記通水部への通水が前記機能剤放出体の外周面を螺旋状態で接触して通過するようにしたことを特徴とする請求項１０記載の機能付シャワー装置。
【請求項１２】
前記機能剤吐水部は、
前記シャワーヘッド内に収容され、前記シャワーヘッドの軸心に沿って延びる筒状の通水部を有するケースと、
前記ケースの通水部内に密に充填される多数の球状の機能剤放出体とを含み、
前記各機能剤放出体は前記機能剤を含有し、前記通水部への通水に伴い前記多数の機能剤放出体間を前記通水が進行して、前記各機能剤放出体がその外周面から前記機能剤を放出して前記通水に溶解させることを特徴とする請求項1乃至７のいずれか1項記載の機能付シャワー装置。
【請求項１３】
前記機能剤放出体は、ゼオライト、粘土及びフィラを含有する気孔率約３５〜４５％で吸水率約２５〜３５％の多孔質セラミック体に、前記機能剤を放出自在に含浸してなることを特徴とする請求項８乃至１２のいずれか１項記載の機能付シャワー装置。
【請求項１４】
前記機能剤放出体は、主材としての機能剤成分を固形化してなり、前記通水部への通水に伴いそれ自体が外表面側から前記通水中に溶解することを特徴とする請求項８乃至１２のいずれか１項記載の機能付シャワー装置。
【請求項１５】
前記接続部は、前記給水源に接続されるシャワーホースの接続口を一端に接続自在で、他端に前記シャワーヘッドを接続自在な筒状をなすグリップであり、
前記シャワーヘッドは前記グリップに対して所定角度で傾斜して接続されることを特徴とする請求項１または２記載の機能付シャワー装置。
【請求項１６】
前記接続部は、前記給水源に接続される壁面側配管の接続口を接続自在で、他端に前記シャワーヘッドを通水自在に枢着して接続自在な筒状をなし、
前記シャワーヘッドは前記接続部に対して任意の角度に回動自在となるよう枢着して接続されることを特徴とする請求項１または２記載の機能付シャワー装置。
【請求項１７】
前記シャワーヘッドの少なくとも前記機能剤吐水部に対応する部分をクリア樹脂により透明に形成し、前記シャワーヘッド内部の前記機能剤吐水部の機能剤の状態を外部から監視自在としたことを特徴とする請求項１または２記載の機能付シャワー装置。
【請求項１８】
ハニカム筒状をなし、軸心に沿って延びる複数の通水部を一体形成したケースと、
前記ケースの通水部にそれぞれ収容配置される複数の機能剤放出体と
を備えることを特徴とする機能付シャワー装置の機能剤カートリッジ。
【請求項１９】
更に、前記ケースの入水側に装着され、前記機能剤吐水部の単位吐水量が、前記シャワー吐水部の単位吐水量より小さくなるよう、前記機能剤吐水部の単位吐水量を制御する定流量弁を備えることを特徴とする請求項１８記載の機能付シャワー装置の機能剤カートリッジ。
【請求項２０】
前記機能剤放出体は、柱状の多孔質セラミック体に液状機能剤を含浸したものであることを特徴とする請求項１８または１９記載の機能付シャワー装置の機能剤カートリッジ。
【請求項２１】
含浸用液剤を貯留する液剤タンクと、
前記液剤タンクとの間で前記含浸用液剤を流通自在なよう前記液剤タンクに接続されると共に、前記含浸用液剤の含浸対象物としての多孔質セラミック材料を気密状態で収容自在な気密室と、
前記気密室を真空吸引して真空状態とする真空ポンプと、
前記気密室を真空状態から常圧へと復帰させる圧力復帰手段とを備え、
前記気密室に多孔質セラミック材料を収容して前記気密室を気密状態とし、前記真空ポンプにより前記気密室を真空吸引する共に、前記液剤タンクと前記気密室とを流通状態として、前記気密室内に前記液剤タンクの含浸用液剤を導入し、導入した前記含浸用液剤を前記気密室内の前記多孔質セラミックに真空圧により強制的に含浸させるようにしたことを特徴とする含浸装置。
【請求項２２】
気密室に多孔質セラミック材料を収容して前記気密室を気密状態とする収容工程と、
真空ポンプにより前記気密室を真空吸引する共に、含浸溶液剤を貯留した液剤タンクと前記気密室とを流通状態として、前記気密室内に前記液剤タンクの含浸用液剤を導入し、導入した前記含浸用液剤を前記気密室内の前記多孔質セラミックに真空圧により強制的に含浸させる含浸工程と、
前記気密室を大気圧に復帰して、前記気密室内に滞留する前記含浸用液剤を前記液剤タンクに還流する還流工程と
を備えることを特徴とする機能剤放出体の製造方法。
【発明の詳細な説明】
【技術分野】
【０００１】
本発明は、通常のシャワー機能に加え、芳香発生機能、保湿機能、冷感付与機能、爽快感付与機能、保湿効果付与機能等、通常のシャワー機能以外の機能を発揮することができる機能付シャワー装置、その機能付シャワー装置に使用される機能付シャワー装置の機能剤カートリッジ、その機能剤カートリッジの機能剤放出体の製造に使用される含浸装置、及び、その機能剤カートリッジの機能剤放出体の製造方法に関する。
【背景技術】
【０００２】
従来、シャワー機能に加え、効能剤による機能等のシャワー機能以外の機能を発揮するシャワー装置に関する技術として、例えば、特許文献１に記載の技術がある。
【特許文献１】特開２００１−１８６９９５号公報
【０００３】
特許文献１には、水道水等の原水を供給しシャワーを行うシャワー用具が開示されている。このシャワー用具の一端には、水又は温水の流出口を有する通水路内に、不純物吸着材及び効能剤が充填されたカートリッジが配されている。或いは、シャワー用具の一端には、水又は温水の流出口を有する通水路内に、不純物吸着材と効能剤とがそれぞれ充填された複数のカートリッジが配されている。前記水不溶性吸着材は、水不溶性のキチン、キトサン若しくはこれらの誘導体であり、水不溶性吸着材の粒径は、２〜５００メッシュである。また、前記効能剤は、弱酸性入浴剤、血行促進剤及び／又は無機塩、保湿剤または芳香薬剤からなる。
【０００４】
特許文献１によれば、上記構成のシャワー用具により、水及び温水の何れにおいても水道水等の中の不純物を簡単かつ効率良く除去でき、その後あるいは同時に浴剤等の効能剤の効能を得ることができるとされている。また、このシャワー用具は、温度変化による不純物の脱着がなく、また水及び温水の何れにおいても水道水等の中の不純物を簡単かつ効率良く除去できるとされている。
【発明の開示】
【発明が解決しようとする課題】
【０００５】
しかし、特許文献１に記載の技術のように、単に、入浴剤等の効能剤に温水等を通水し、その温水等をシャワーヘッド等の吐水部から吐出するだけでは、効能剤が非常に短時間で消費され、その効能を最低限必要な期間にわたって持続できなかったり、逆に、効能剤の効能成分を温水等に十分に溶解できず、効能剤による効能を十分に発揮できなかったりする可能性がある。ここで、本発明者等は、鋭意研究を重ねた結果、前記効能剤に対応する各種の機能剤の構造を改良し、また、機能剤への温水等の通水を制御することで、芳香効果付与機能、冷感付与機能、爽快感付与機能、保湿効果付与機能等、通常のシャワー機能以外の機能を長期にわたって安定的に持続することができる機能付きシャワー装置の発明をなし得た。なお、以下において、これらの通常のシャワー機能以外の機能を、主に人間の体または五感等により感知できる機能という意味で、「体感機能」ということがあるが、本発明により実現される通常のシャワー機能以外の機能は、かかる体感機能以外の機能も含む。
【０００６】
そこで、本発明は、芳香効果付与機能、冷感付与機能、爽快感付与機能、保湿効果付与機能等、通常のシャワー機能以外の機能を長期にわたって安定的に持続することができる機能付シャワー装置、機能付シャワー装置の機能剤カートリッジ、含浸装置及び液剤含浸済多孔質セラミック材料の製造方法の提供を課題とする。
【課題を解決するための手段】
【０００７】
本発明の第１の態様によれば、給水源に接続され、前記給水源からの給水を通水自在な接続部と、前記接続部に接続され、前記接続部からの給水を通水自在なシャワーヘッドとを備える機能付シャワー装置が提供される。前記接続部は、前記給水源からの原水が流入する入水口と、前記入水口から流入した前記給水源からの原水を浄化する濾過層と、前記入水口と前記濾過層との間に配設した切替弁と、前記給水源からの原水を前記濾過層を通過させることなくそのまま前記シャワーヘッドに供給する原水位置と、前記給水源からの原水を前記濾過層を通過させて浄化した後、その浄水を前記シャワーヘッドに供給する浄水位置との間で前記切替弁を切替自在な切替手段とを有する。前記シャワーヘッドは、前記接続部からの原水または浄水をシャワー状に吐出自在なシャワー吐水部と、前記シャワー吐水部に隣接して設けられ、前記原水または浄水に機能剤を溶解して吐出自在な機能剤吐水部と、前記接続部からの原水または浄水を前記シャワー吐水部または機能剤吐水部に対して選択的に切替えて供給する切替手段とを有する。
【０００８】
本発明の第２の態様によれば、シャワーヘッドに設けられ、給水源からの水を吐出自在なシャワー吐水部と、前記シャワーヘッドにおいて前記シャワー吐水部に隣接して設けられ、前記給水源からの水に機能剤を混合して吐出自在な機能剤吐水部と、前記機能剤吐水部に作用的に接続して設けられ、前記機能剤吐水部の単位吐水量が、前記シャワー吐水部の単位吐水量より小さくなるよう、前記機能剤吐水部の単位吐水量を制御する吐水量制御手段とを備える機能付シャワー装置が提供される。
【０００９】
本発明の第３の態様によれば、給水源に接続され、前記給水源からの給水を通水自在な接続部と、前記接続部に接続され、前記接続部からの給水を通水自在なシャワーヘッドとを備える機能付シャワー装置が提供される。前記接続部は、前記給水源からの原水が流入する入水口と、前記入水口から流入した前記給水源からの原水を浄化する濾過層と、前記入水口と前記濾過層との間に配設した切替弁と、前記給水源からの原水を前記濾過層を通過させることなくそのまま前記シャワーヘッドに供給する原水位置と、前記給水源からの原水を前記濾過層を通過させて浄化した後、その浄水を前記シャワーヘッドに供給する浄水位置との間で前記切替弁を切替自在な切替手段とを有する。前記シャワーヘッドは、前記接続部からの原水または浄水をシャワー状に吐出自在なシャワー吐水部と、前記シャワー吐水部に隣接して設けられ、前記原水または浄水に機能剤を溶解して吐出自在な機能剤吐水部と、前記接続部からの原水または浄水を前記シャワー吐水部または機能剤吐水部に対して選択的に切替えて供給する切替手段と、前記機能剤吐水部の入口に配設され、前記機能剤吐水部の単位吐水量が、前記シャワー吐水部の単位吐水量より小さくなるよう、前記機能剤吐水部の単位吐水量を制御する吐水量制御手段とを有する。
【００１０】
本発明の第４の態様によれば、ハニカム筒状をなし、軸心に沿って延びる複数の通水部を一体形成したケースと、前記ケースの通水部にそれぞれ収容配置される複数の機能剤放出体とを備える機能付シャワー装置の機能剤カートリッジが提供される。
【００１１】
本発明の第５の態様によれば、含浸用液剤を貯留する液剤タンクと、前記液剤タンクとの間で前記含浸用液剤を流通自在なよう前記液剤タンクに接続されると共に、前記含浸用液剤の含浸対象物としての多孔質セラミック材料を気密状態で収容自在な気密室と、前記気密室を真空吸引して真空状態とする真空ポンプと、前記気密室を真空状態から常圧へと復帰させる圧力復帰手段とを備え、前記気密室に多孔質セラミック材料を収容して前記気密室を気密状態とし、前記真空ポンプにより前記気密室を真空吸引する共に、前記液剤タンクと前記気密室とを流通状態として、前記気密室内に前記液剤タンクの含浸用液剤を導入し、導入した前記含浸用液剤を前記気密室内の前記多孔質セラミックに真空圧により強制的に含浸させるようにした含浸装置が提供される。
【００１２】
本発明の第６の態様によれば、気密室に多孔質セラミック材料を収容して前記気密室を気密状態とする収容工程と、真空ポンプにより前記気密室を真空吸引する共に、含浸溶液剤を貯留した液剤タンクと前記気密室とを流通状態として、前記気密室内に前記液剤タンクの含浸用液剤を導入し、導入した前記含浸用液剤を前記気密室内の前記多孔質セラミックに真空圧により強制的に含浸させる含浸工程と、前記気密室を大気圧に復帰して、前記気密室内に滞留する前記含浸用液剤を前記液剤タンクに還流する還流工程とを備える機能剤放出体の製造方法が提供される。
【発明の効果】
【００１３】
本発明によれば、芳香効果付与機能、冷感付与機能、爽快感付与機能、保湿効果付与機能等、通常のシャワー機能以外の機能を長期にわたって安定的に持続することができる機能付シャワー装置、その機能付シャワー装置に使用される機能付シャワー装置の機能剤カートリッジ、その機能剤カートリッジの機能剤放出体の製造に使用される含浸装置、及び、その機能剤カートリッジの機能剤放出体の製造方法を提供することができる。
【発明を実施するための最良の形態】
【００１４】
以下、本発明を実施するための最良の形態（以下、実施の形態という）を説明する。なお、各実施の形態を通じ、同一の部材、要素または部分には同一の符号を付して、その説明を省略する。
【００１５】
実施の形態１
本発明の実施の形態１に係る機能付シャワー装置について説明する。図１は本発明の実施の形態１に係る機能付シャワー装置の外観を示す斜視図である。図２は本発明の実施の形態１に係る機能付シャワー装置の一部を破断して内部構造を示す斜視図である。図３は本発明の実施の形態１に係る機能付シャワー装置の内部構造を示す断面図である。
【００１６】
実施の形態１に係る機能付シャワー装置は、図１〜図３に示すように、グリップ１００の先端にシャワーヘッド２００を一体的に組み付けてなるヘッドタイプのものである。詳細には、グリップ１００は、給水源としての混合水栓等にシャワーホースを介して接続され、接続部からの給水を通水自在な接続部を構成する。なお、給水源からは、通常、原水（水道水、井戸水等）が給水される。グリップ１００は、略円筒状のグリップ本体１０１を有している。また、前記グリップ本体１０１の内部には、塩素除去カートリッジ１１０が同心状（同軸状）に収容配置されている。この塩素除去カートリッジ１１０は、透水性の円筒状をなす活性炭フィルタ１１１、活性炭フィルタ１１１の外周面を被覆する透水性のシート状をなす外層フィルタ１１２及び活性炭フィルタ１１１の内周面を被覆する透水性のシート状をなす内層フィルタ１１３の三層構造を有する濾過層を有し、濾過層１１１，１１２，１１３の内層フィルタ１１３の内周面により、その軸方向に延びる円柱状の導水通路１１５を内部に形成している。また、塩素除去カートリッジ１１０の軸方向両端には、それぞれ、カートリッジキャップ１１６が装着されている。カートリッジキャップ１１６の中央には円形の通水孔１１６ａが穿設されている。なお、塩素除去カートリッジ１１０の導水通路１１５内には、短円柱状等の機能付与剤（例えば、ＥＭＸセラミックス）を充填し、導水通路１１５を機能付与層として機能させてもよい。なお、ＥＭＸセラミックスとは、ＥＭ（乳酸菌等の有用微生物群）の一種であるＥＭ１号とＥＭ−Ｘ（特定植物を酵母や乳酸菌等のＥＭ菌により醗酵処理し抽出した液体）を混合して熟成させた粘土を、８００〜１２００℃で焼成したものであり、ＥＭと同様、水の活性化等に使用される材料である。
【００１７】
グリップ本体１０１の一端（図１〜図３中の下端）の円形の開口には、対応する短円筒状をなす押圧体１２１及び切替リング１２２がそれぞれ同軸状に装着されると共に、押圧体１２１及び切替リング１２２の内部には、切替弁１２３及び弁支持体１２４がそれぞれ同軸状に挿着されている。前記弁支持体１２４の下端部は切替リング１２２の下端から下方に突出し、その突出部分の外周には雄ねじ１２４ａが形成されている。そして、給水源に接続されるシャワーホースの接続口の雌ねじ（図示略）に前記雌ねじ１２４ａを螺入することにより、グリップ１００をシャワーホースに水密に接続するようになっている。なお、弁支持体１２４の下端開口は、前記給水源からの原水がシャワーホースを介して流入する入水口１２４ｂとなっている。即ち、グリップ１００においては、入水口１２４ｂと濾過層１１１〜１１３との間に前記切替弁１２３が配設される。
【００１８】
一方、前記シャワーヘッド２００は、接続部としてのグリップ１００に接続され、グリップ１００からの給水を通水自在である。シャワーヘッド２００は、略アングル筒状をなすヘッド本体２０１を有し、ヘッド本体２０１の一端部の外周面に雄ねじ２０１ａを形成している。また、グリップ本体１０１の上端部の内周面には雌ねじ１０１ａが形成され、その雌ねじに１０１ａにシャワーヘッド２００の雄ねじ２０１ａを螺入することにより、シャワーヘッド２００をグリップ１００に水密に接続するようになっている。また、このとき、グリップ１００内の塩素除去カートリッジ１１０の上端のカートリッジキャップ１１６が、シャワーヘッド２００のヘッド本体２０１の一端から内部に収容され、カートリッジキャップ１１６がヘッド本体２０１の入水口２０１ｂに水密に接続されるようになっている。更に、このとき、塩素除去カートリッジ１１０の外層フィルタ１１２の外周面全体とグリップ本体１０１の内周面との間には、原水通路１１７が形成される。
【００１９】
前記切替リング１２２は、所定の２つの角度位置（原水位置及び浄水位置）に回動して切替自在となっている。前記切替リング１２２を原水位置及び浄水位置のいずれかの角度位置に回動して切替えることにより、弁支持体１２４を介して切替弁１２３を所定の２つの弁位置（原水位置及び浄水位置）に切替自在となっている。切替リング１２２を原水位置とすると、弁支持体１２４の入水口１２４ｂが塩素除去カートリッジ１１０の下端のカートリッジキャップ１１６の通水孔１１６ａと連通するよう、切替弁１２３が原水位置に回動される。そして、給水源からシャワーホースを介してグリップ１００の入水口１２４ｂに流入した原水が、切替弁１２３を介して、下端のカートリッジキャップ１１６の通水孔１１６ａから塩素除去カートリッジ１１０の導水通路１１５内に直接流入し、上端のカートリッジキャップ１１６の通水孔１１６ａからシャワーヘッド２００のヘッド本体２０１の内部に流入する。即ち、このとき、シャワーホースからの原水は、外層フィルタ１１２、活性炭フィルタ１１１及び内層フィルタ１１３からなる濾過層を通過して濾過乃至浄化されることなく、そのままの原水として、導水通路１１５を流れてシャワーヘッド２００内に流入する。なお、このとき、導水通路１１５に前記機能付与剤を充填すれば、原水に機能付与した機能水がシャワーヘッド２００内に流入する。
【００２０】
一方、切替リング１２２を浄水位置とすると、弁支持体１２４の入水口１２４ｂが前記グリップ本体１０１内の原水通路１１７と連通するよう、切替弁１２３が浄水位置に回動される。そして、給水源からシャワーホースを介してグリップ１００の入水口１２４ｂに流入した原水が、切替弁１２３を介して、グリップ１００の原水通路１１７に流入し、外層フィルタ１１２、活性炭フィルタ１１１及び内層フィルタ１１３からなる濾過層を通過して、塩素除去カートリッジ１１０の導水通路１１５内に流入し、導水通路１１５を介して、上端のカートリッジキャップ１１６の通水孔１１６ａからシャワーヘッド２００のヘッド本体２０１の内部に流入する。即ち、このとき、シャワーホースからの原水は、塩素除去カートリッジ１１０の濾過層１１１〜１１３により濾過されて浄水とされた後、その浄水が導水通路１１５内に流入し、上端のカートリッジキャップ１１６の通水孔１１６ａからシャワーヘッド２００のヘッド本体２０１の内部に流入する。なお、このとき、導水通路１１５に前記機能付与剤を充填すれば、浄水に更に機能付与した機能浄水がシャワーヘッド２００内に流入する。このように、実施の形態１では、前記切替リング１２２及び弁支持体１２４が切替弁１２３の切替手段を構成する。
【００２１】
シャワーヘッド２００は、ヘッド本体２０１を屈曲筒状とし、ヘッド本体２０１をグリップ本体１０１に接続した状態で、グリップ１００に対して所定角度で傾斜して接続される。また、ヘッド本体２０１において前記入水口２０１ｂの軸心と傾斜して延びる円筒状部分の内部には、円盤状の弁座２１１が固着されている。弁座２１１には第１の通水孔及び第２の通水孔（図示略）がそれぞれ穿設されている。また、弁座２１１の一側には切替弁２１５が配設されている。切替弁２１５は、弁体２１６及びコイルスプリング２１７を有している。切替弁２１５は、コイルスプリング２１７により弁体２１６を弁座２１１に対して押圧付勢している。また、ヘッド本体２０１には、第１の位置と第２の位置を選択自在な切替ボタン２２１が外部に突出するよう配設されている。切替ボタン２２１は、切替弁２１５に作用的に接続され、切替ボタン２２１を第１の位置または第２の位置に切替えることにより、切替弁２１５の弁体２１６の位置を、弁座２１１に穿設した第１及び第２の通水孔のいずれかへと切替えて配置し、弁体２１６により弁座２１１の第１または第２の通水孔をシール材等を介して水密に遮蔽自在となっている。一方、弁座２１１の他側には、外壁２１２及び内壁２１３が一体形成されている。外壁２１２は、弁座２１１の外周縁に沿って延び、かつ、弁座２１１と同軸状となる円筒状をなし、ヘッド本体２０１の他端から所定長突出している。また、内壁２１３は、外壁２１２よりも小径で、かつ、弁座２１１と同軸状に延びる短円筒状をなし、ヘッド本体２０１の他端程度まで突出している。
【００２２】
前記切替ボタン２２１を第１の位置に切替えると、切替弁２１５の弁体２１６が前記外壁２１２と内壁２１３との間の部分に対応する弁座２１１部分に形成した第１の通水孔を開放すると共に、内壁２１３の内側に対応する弁座２１１部分に形成した第２の通水孔を水密に遮蔽する。これにより、ヘッド本体２０１の入水口２０１ｂから流入した水が、切替弁２１５及び弁座２１１の第１の通水孔を介して、外壁２１２と内壁２１３との間の空間であるシャワー吐水用通水路に流入する。一方、切替ボタン２２１を第２の位置に切替えると、切替弁２１５の弁体２１６が弁座２１１の第１の通水孔を水密に遮蔽すると共に、弁座２１１の第２の通水孔を開放する。これにより、ヘッド本体２０１の入水口２０１ｂから流入した水が、切替弁２１５及び弁座２１１の第２の通水孔を介して、内壁２１３の内側の空間である機能吐水用通水路に流入する。
【００２３】
ヘッド本体２０１の入水口２０１ｂと反対側の他端部の外周面には雄ねじ２０１ｃが形成されている。また、ヘッド本体２０１には有底円筒状のシャワーキャップ２３０が接続され、シャワーヘッド２００を形成するようになっている。更に、シャワーキャップ２３０の一端開口側の内周面には、雌ねじ２３１が形成されている。そして、ヘッド本体２０１の雄ねじ２０１ｃにシャワーキャップ２３０の雌ねじ２３１を螺合することにより、ヘッド本体２０１にシャワーキャップ２３０を取付けるようになっている。また、シャワーキャップ２３０は、他端の円盤状部２３２に通常のシャワー吐水用の多数のシャワー吐水孔２３２ａと、機能剤を溶解した水（機能水）を吐出するための多数の機能吐水孔２３２ｂとを穿設している。なお、円盤状部２３２の機能吐水孔２３２ｂは、通常のシャワーのストレート吐水用の吐水孔と同様の構成としたり、ミスト状に吐水自在なようにより小径の吐水孔としたり、任意の構成とすることができる。更に、前記円盤状部２３２の内側には、シャワー吐水孔２３２ａ部分に対応するリング板状をなす散水板２３３が、前記シャワー吐水孔２３２ａに対向するよう配置されている。また、円盤状部２３２の内側面において、前記シャワー吐水孔２３２ａ部分の内周縁に対応する位置には、短円筒状の支持突起２３５が同軸状に内方へ突出するよう一体形成されている。更に、円盤状部２３２の内側面において、前記シャワー吐水孔２３２ａ部分の内周縁より若干内側の位置で、かつ、前記機能吐水孔２３２ｂ部分の外周縁より外側の位置には、前記支持突起２３５より更に短かい円筒状の当接突起２３６が同軸状に内方へ突出するよう一体形成されている。
【００２４】
前記シャワーキャップ２３０の円盤状部２３２とヘッド本体２０１内の弁座２１１との間の空間には、機能剤カートリッジ２４０が着脱自在に位置固定して装着される。具体的には、機能剤カートリッジ２４０は、有底円筒状のケース２４１を有し、ケース２４１の一端側の端部外周面を支持突起２３５の内周面に密接させて、その一端部を支持突起２３５内に水密に嵌め込むと共に、その一端を当接突起２３６に当接させる一方で、ケース２４１の他端側の開口部分を、前記内壁２１３に対して水密に接続している。そして、前記切替弁２１５の第１の位置では、ヘッド本体２０１の入水口２０１ｂからの水が、切替弁２１５及び弁座２１１を介して前記シャワー吐水用通水路に流入し、散水板２３３を介して円盤状部２３２のシャワー吐水孔２３２ａから吐出される。また、切替弁２１５の第２の位置では、ヘッド本体２０１の入水口２０１ｂからの水が、切替弁２１５及び弁座２１１を介して前記機能吐水用通水路に流入し、機能剤カートリッジ２４０の他端側の開口部分から機能剤カートリッジ２４０内に流入する。機能剤カートリッジ２４０内に流入した水は、機能剤カートリッジ２４０により所定の機能を付与されて機能水となり、その機能水が、機能剤カートリッジ２４０から放出されて、前記機能吐水孔２３２ｂから吐出される。
【００２５】
次に、機能剤吐水部を構成する機能剤カートリッジについて詳述する。図４は本発明の実施の形態１に係る機能付シャワー装置の機能剤カートリッジのケースを示し、（ａ）は平面図、（ｂ）は底面図、（ｃ）は断面図、（ｄ）は（ｃ）のＡ−Ａ線断面図である。図５は本発明の実施の形態１に係る機能付シャワー装置の機能剤カートリッジの蓋体及び定流量弁を示す断面図であり、（ａ）は蓋体から定流量弁を取り外した状態を、（ｂ）は蓋体に定流量弁を挿着した状態を示す。なお、説明の便宜上、図５において、定流量弁は、右半部のみを断面にて示し、左半部は外観図となっている。
【００２６】
図４に示すように、機能剤カートリッジ２４０のケース２４１は、シャワーヘッド２００のシャワーキャップ２３０内に同軸状に収容されるハニカム筒状をなす。即ち、ケース２４１は、７つの小筒状の通水部２４２を、互いに平行となるようハニカム状に並設して一体形成し、これらがシャワーキャップ２３０の軸心に沿って延びるよう配置している。各通水部２４２は、一定の断面形状で軸心方向に延びる断面多角形筒状、詳細には、六角形筒状をなしている。また、ケース２４１は、通水部２４２を囲む円筒状の外壁２４３を一体形成している。具体的には、ケース２４１は、１つの通水部２４２を外壁２４３の中心に配置し、その周囲に、同一寸法の通水部２４２を６つ等角度間隔で密接配置している。更に、ケース２４１は、軸方向一端側（シャワーキャップ２３０の円盤状部２３２と対向する側）に、各通水部２４２の一端の略中央を横切る抜止部２４４を一体形成している。具体的には、抜止部２４４は、中心の通水部２４２の中心を通って外壁２４３の直径方向に延びる直径方向部２４４ａを６０度間隔で６つ配置している。６つの直径方向部２４４ａは、中心の通水部２４２の中央を６０度間隔で３方向（放射方向）に横切ると共に、周囲の６つの通水部２４２の中央を１方向（放射方向）に横切る。また、抜止部２４４は、外壁２４３とその中心との中間位置に、同心円状の周方向部２４４ｂを一体形成している。周方向部２４４ｂは、周囲の６つの通水部２４２の中央を１方向（周方向）に横切ると共に、前記直径方向部２４４ａと略直角に交差する。
【００２７】
前記ケース２４１の各通水部２４２には、機能剤放出体２４５が収容配置される。機能剤放出体２４５は、ケース２４１の通水部２４２と略同一長さを有し、通水部２４２に沿ってその全長を延びる円柱状をなす。また、各機能剤放出体２４５は体感機能を発揮する体感剤乃至機能剤を含有し、通水部２４２への通水に伴い各機能剤放出体２４５がその表面から機能剤を放出して前記通水に溶解させる。各機能剤放出体２４５は、円柱状の多孔質体、具体的には、多孔質セラミック体からなり、各通水部２４２内に収容されたときに、その外周面全体と通水部２４２の内周面全体との間に、軸心方向（長さ方向）の全長にわたって延びる通水空間を形成する。なお、各通水部２４２の上端側から内部に機能剤放出体２４５を収容したとき、機能剤放出体２４５の下端面が、通水部下端開口を横切る抜止部２４４に当接して、通水部２４２から脱落しないようになっている。
【００２８】
一方、前記機能剤は、多孔質セラミック体に含浸した液状機能剤からなる。ここで、機能剤放出体２４５の多孔質セラミック体は、ゼオライト、粘土及びフィラ等を含有するものとすることができ、これの材料を混合、焼成して、気孔率約３５〜４５％で吸水率約２５〜３５％の開気孔を有する多孔質セラミック体として形成することができる。これにより、機能剤放出対２４５の多孔質セラミック体が、その中心部まで機能剤を大量かつ均一に含浸して、開気孔内に吸着保持し、多孔質セラミック体の表面への通水により、内部の機能剤を外部に略一定濃度となるよう溶解させて放出自在となる。より具体的には、多孔質セラミック体は、ゼオライト、粘土、フィラからなり、Ａｌ2Ｏ3約１７％、ＳｉＯ2約５６％、ＣａＯ約１１％、ＭｇＯ約５％、Ｎａ2Ｏ約５％、Ｆｅ2Ｏ3約３．５％、Ｋ2Ｏ約２％、ＴｉＯ2約０．５％を含有し、気孔率約３９．９９％、吸水率約２８．３０％、見掛比重２．３５、嵩比重１．４１として構成することがより好ましい。或いは、多孔質セラミック体は、Ａｌ2Ｏ3約３３％、ＳｉＯ2約６０％、Ｋ2Ｏ約５％、Ｆｅ2Ｏ3約１％、ＴｉＯ2約０．５％、Ｎａ2Ｏ約０．５％を含有し、気孔率約４１．２％、吸水率約２９．０％、見掛比重２．５６、嵩比重１．４０として構成することもより好ましい。
【００２９】
なお、例えば、前記液状機能剤としては、精油（アロマオイル）、香油、保湿剤や、クール剤等がある。精油や香油は、独特の芳香を発生し、含有成分による特有の効果を発揮する。精油としては、例えば、ペパーミント、ラベンダー等を使用することが好ましい。ペパーミントは、ストレス、リフレッシュ、集中力、夏ばて、風・熱、咳・鼻詰まり、花粉症、二日酔い、頭痛、乗り物酔い、肩こり、消化促進、にきび、防虫等において、特有の効果を発揮することが知られている。また、ラベンダーは、ストレス、リラックス、安眠、夏ばて、冷え性、風・熱、咳・鼻詰まり、乗り物酔い、肩こり、生理不順、生理痛、にきび、肌の乾燥、消臭、目の疲れ、防虫等において、特有の効果を発揮することが知られている。なお、クール剤とは、冷却成分、制汗成分、防臭成分等を含有し、皮膚に触れると冷却機能（冷感付与機能）、制汗機能、防臭機能、爽快感付与機能等を発揮するものである。或いは、液状機能剤としては、以下のように、複数の精油等の成分を混合したものとすることができ、その場合、以下のような効能を発揮することができる。
【００３０】
第１の混合液：レモン、スペアミント、ベルガモット、グレープフルーツ、ライムの混合液であり、シトラスフルーツの香りで、元気に明るく過ごしたい場合に使用すると効果（歓喜効果）がある。
【００３１】
第２の混合液：レモン、スペアミント、ベルガモット、グレープフルーツ、ライム、ホホバ油の混合液であり、元気に明るく過ごしたい場合に使用すると効果（歓喜効果）がある。また、ホホバ油は、ホホバの実から採取される液状ワックスであり、化学構造が人の油性分泌物と類似するため、肌によく浸透し、さらっとした使用感にもかかわらず、しっとりとした保湿効果がある。ホホバ油は、乾燥肌等をはじめとする全ての肌質に使用可能である。また、顔、全身の手入れにも良好に使用できる。
【００３２】
第３の混合液：ローズマリー、ペパーミント、ゼラニウム、レモンの混合液であり、すっきりした香りで、朝の目覚めや気分転換したいときに効果（リフレッシュ効果）がある。
【００３３】
第４の混合液：ローズマリー、ペパーミント、ゼラニウム、レモン、ホホバ油の混合液であり、すっきりした香りで、朝の目覚めや気分転換したいときに効果（リフレッシュ効果）がある。また、ホホバ油が保湿効果を発揮する。
【００３４】
第５の混合液：レモン、オレンジ、ラバンディン、クラリセージ、ベルガモット、ローマンカモマイルの混合液で、ストレスを感じて疲れたときや、いらいら気分の日に、ハーブの香りで安らぎを与える効果（リラックス効果）がある。
【００３５】
第６の混合液：レモン、オレンジ、ラバンディン、クラリセージ、ベルガモット、ローマンカモマイル、ホホバ油の混合液で、ストレスを感じて疲れたときや、いらいら気分の日に、ハーブの香りで安らぎを与える効果（リラックス効果）がある。また、ホホバ油が保湿効果を発揮する。
【００３６】
ケース２４１の各通水部２４２の内径は、各機能剤放出体２４５の外径より大きく設定されている。即ち、通水部２４２の内径を機能剤放出体２４５の外径より大きくすることで、ケース２４１に流入した水が機能剤放出体２４５の外周面全体を接触して通過するようにし、機能剤放出体２４５からの機能剤の放出効率を高めている。また、通水部２４２の内周面形状及び機能剤放出体２４５の外周面形状は、通水部２４２内に流入した水が、機能剤放出体２４５の外周面を螺旋状態で接触して通過するよう設定されている。即ち、上記のように、通水部２４２は六角形筒状とされ、機能剤放出体２４５は円柱状とされることにより、通水部２４２内に流入した水が、機能剤放出体２４５の外周面を螺旋状態で接触して通過する。こうすると、通水部２４２に流入した水が機能剤放出体２４５の表面を直線的に通過する場合と比較して、通水部２４２に流入した水の機能剤放出体２４５表面に対する接触合計面積または接触時間を増大し、機能剤放出体２４５からの機能剤の放出効率をより高めることができる。このように、通水部２４２内に流入した水が機能剤放出体２４５の外周面を螺旋状態で接触して通過するよう、通水部または機能剤放出体の少なくともいずれか一方の形状を所定形状に設定することが好ましいが、通水部２４２及び機能剤放出体２４５の形状は、通水部２４２内に流入した水が機能剤放出体２４５の外周面を螺旋状態で接触して通過する限りにおいて、任意の形状とすることができる。例えば、通水部２４２の内周面や機能剤放出体２４５の外周面に螺旋溝を形成してもよい。更に、通水部２４２内で水を螺旋状に流す必要がなければ、通水部２４２及び機能剤放出体２４５の形状は、大径の円筒状とそれより小径の円柱状とする等、相似形状とすることができる。
【００３７】
ケース２４１は、更に、外壁２４３の上端の円形の開口２４３ａに蓋体２４６を着脱自在に取付けるようになっている。蓋体２４６は、ケース２４１の開口２４３ａの内径と略同一外径の略リング板状（円環板状）をなす。また、蓋体２４６の中央には、円形段付孔状をなす装着孔２４６ａが穿設され、図５（ｂ）に示すように、装着孔２４６ａには定流量弁２４７が着脱自在に取付けられている。定流量弁２４７は、図５（ａ）に示すように、短円筒状のハウジング２４７ａと、ハウジング２４７ａの上端開口から内部に挿入して装着したレギュレータ２４７ｂと、レギュレータ２４７ｂとハウジング２４７ａ内面との間に介装したＯリング２４７ｃとからなる。なお、定流量弁２４７のハウジング２４７ａは、蓋体２４６の装着孔２４６ａの段付孔形状に対応する外周面形状（段付形状）を有し、装着孔２４６ａの内径と略同一外径を有する略リング板状をなす。そして、前記シャワーキャップ２３０内の切替弁２１５及び弁座２１１から供給された水が、機能剤カートリッジ２４０の定流量弁２４７内に流入してレギュレータ２４７ｂにより一定単位流量となるよう流量制御された後、その単位流量でケース２４１の各通水部２４２内に流入し、通水部２４２内の機能剤放出体２４５に接触して機能を付与された機能水となり、ケース２４１の通水部２４２から流出するようになっている。
【００３８】
なお、実施の形態１では、前記シャワーキャップ２３０の内周面と機能剤カートリッジ２４０の外周面との間に形成される通水路、円盤状部２３２のシャワー吐水孔２３２ａ及び必要な場合に設けられる散水板２３３により、シャワーヘッド２００に設けられて給水源からの水（原水または浄水）をシャワー状に吐出自在なシャワー吐水部が構成される。また、機能剤カートリッジ２４０及びシャワーキャップ２３０の円盤状部２３２の機能吐水孔２３２ｂにより、シャワーヘッド２００においてシャワー吐水部に隣接して設けられ、給水源からの水（原水または浄水）に機能剤を溶解等させて混合して吐出自在な機能剤吐水部が構成される。更に、機能剤カートリッジ２４０の定流量弁２４７により、機能剤吐水部に作用的に接続して設けられ、機能剤吐水部の単位吐水量（単位時間当たり、例えば、毎分あたりの吐水量）が、シャワー吐水部の単位吐水量より小さくなるよう、機能剤吐水部の単位吐水量を制御する吐水量制御手段が構成される。即ち、定流量弁２４７により、機能剤吐水部の入口である機能剤カートリッジ２４０の開口２３３ａ部分に配設され、機能剤吐水部の単位吐水量が、シャワー吐水部の単位吐水量より小さくなるよう、機能剤吐水部の単位吐水量を制御する吐水量制御手段が構成される。
【００３９】
ここで、吐水量制御手段としての定流量弁２４７は、グリップ１００からの供給水圧の大小及びその水圧変化にかかわらず、機能剤吐水部を構成する機能剤カートリッジ２４０または機能吐水孔２３２ｂからの単位吐水量を、シャワー吐水部を構成するシャワー吐水孔２３２ａからの単位吐水量の約１／２以下となるよう制御することが好ましい。また、定流量弁２４７は、機能剤カートリッジ２４０または機能吐水孔２３２ｂの単位吐水量を、シャワー吐水孔２３２ａからの単位吐水量の約１／８〜約１／１５の範囲内となるよう制御することがより好ましい。例えば、前記グリップ１００からシャワー吐水部に流入し、シャワー吐水孔２３２ａから吐出される単位吐水量は、通常、約８〜１０ｌ／ｍｉｎであるが、場合によって、１５ｌ／ｍｉｎ程度となる場合もある。よって、定流量弁２４７は、機能剤カートリッジ２４０または機能吐水孔２３２ｂからの単位吐水量を、これに対応して、毎分約０．５〜２リットルの範囲内となるよう制御することがより好ましい。更に、定流量弁２４７は、機能剤カートリッジ２４０または機能吐水孔２３２ｂからの単位吐水量を、毎分約１リットルとなるよう制御することがより一層好ましい。かかる定流量弁２４７としては、米国ＮＥＯＰＥＲＬ社製の定流量１リットルタイプのもの（部品番号５８．６２０１．１）を好適に使用することができる。そして、この定流量弁２４７は、流入圧力１〜１０ｂａｒの範囲の水を、その圧力及び圧力変化に関わらず、一定流量（１ｌ／ｍｉｎ）に制御して維持するようになっている。
【００４０】
次に、実施の形態１に係る機能付シャワー装置の作用及び効果について説明する。
【００４１】
まず、給水源からシャワーホースを介してグリップの入水口に原水を導入する場合、使用者は、必要に応じて、切替リング１２２を原水位置と浄水位置との間で切替えることができる。切替リング１２２を原水位置とすると、切替弁１２３が原水位置となり、給水源からシャワーヘッド１００のヘッド本体１０１の入水口１２４ｂに流入した原水が、塩素除去カートリッジ１１０の濾過層１１１，１１２，１１３を通過せずに、直接、下端のカートリッジキャップ１１６から導水通路１１５に流入し、そのまま、上端のカートリッジキャップ１１６からシャワーヘッド２００のヘッド本体２０１の入水口２１０ｂに流入する。一方、切替リング１２２を浄水位置とすると、切替弁１２３が浄水位置となり、給水源からシャワーヘッド１００の入水口１２４ｂに流入した原水が、原水通路１１７に流入し、塩素除去カートリッジ１１０の濾過層１１１，１１２，１１３により濾過されて序水とされた後、導水通路１１５に流入し、その浄水が上端のカートリッジキャップ１１６からシャワーヘッド２００のヘッド本体２０１の入水口２１０ｂに流入する。
【００４２】
また、シャワーヘッド２００内に流入した水は、必要に応じて、切替ボタン２２１を第１の位置または第２の位置の間で切替えることにより、シャワー吐水部または機能吐水部に流入する。即ち、切替ボタン２２１を第１の位置とすると、切替弁２１５が第１の位置となり、ヘッド本体１０１の入水口１２４ｂに流入した水が、弁座２１１を介して外壁２１２と内壁２１３との間のシャワー吐水用通水路に流入し、散水板２３３により拡散されて、円盤状部２３２のシャワー吐水孔２３２ａからシャワー状となって吐出される。一方、切替ボタン２２１を第２の位置とすると、切替弁２１５が第２の位置となり、ヘッド本体１０１の入水口１２４ｂに流入した水が、弁座２１１を介して内壁２１３の内側の機能吐水用通水路に流入し、機能剤カートリッジ２４０の定流量弁２４７に流入する。そして、定流量弁２４７からの水は、通水路２４２内を機能剤放出体２４５の外周面に沿って螺旋状に流れる。このとき、機能剤放出体２４５内の液状機能剤がその水に溶解する。そして、機能剤を溶解した機能水が、通水路２４２から放出され、円盤状部２３２の機能吐水孔２３２ｂからストレート状またはミスト状等となって吐出される。
【００４３】
なお、通常、使用者が、シャワー浴を行う際にシャワー吐水または機能吐水を使用するときは、切替リング１２２を浄水位置として原水の塩素等を除去した後、浄水をシャワー吐水孔２３２ａから吐出したり、または、浄水に機能剤を溶解した機能水を機能吐水孔２３２ｂから吐出したりすることができる。一方、使用者がシャワーを使用して浴槽等の洗浄を行うときは、浄水や機能水を使用する必要もないため、塩素除去カートリッジ１１０や機能剤カートリッジ２４０の節約のため、切替リング１２２を原水位置とすると共に、切替ボタン２２１を第１の位置として、シャワー吐水孔２３２ａから原水を吐出することができる。無論、原水に機能剤を溶解して機能水とし、シャワー吐水孔２３２ａから原水を吐出することも可能である。
【００４４】
このように、実施の形態１に係る機能付シャワー装置によれば、浄水等に機能剤を溶解等して機能水を形成する構成として、機能剤カートリッジ２４０を使用し、定流量弁２４７により圧力制御した状態で、複数の機能剤放出体２４５により機能水を形成するため、機能剤による芳香効果付与機能、冷感付与機能、爽快感付与機能、保湿効果付与機能等、通常のシャワー機能以外の機能を長期にわたって安定的に持続することができる。また、機能剤が短時間で消費されることがなく、その効能を必要な期間にわたって十分に持続することができる。更に、機能剤の効能成分を温水等に十分に溶解して、機能剤による効能を十分に発揮することができる。
【００４５】
実施の形態２
本発明の実施の形態２に係る機能付シャワー装置について説明する。図６は本発明の実施の形態２に係る機能付シャワー装置の外観を示す斜視図である。図７は本発明の実施の形態２に係る機能付シャワー装置の一部を破断して内部構造を示す斜視図である。図８は本発明の実施の形態２に係る機能付シャワー装置のケースの交換時期表示板を示す底面図である。図９は本発明の実施の形態２に係る機能付シャワー装置の要部を破断して内部構造を示す正面図である。
【００４６】
実施の形態２に係る機能付シャワー装置は、図６〜図９に示すように、ケース３００の先端にシャワーヘッド４００を一体的に組み付けてなる壁付タイプのものである。詳細には、接続部としてのケース３００は、壁面から突出する給水源としての配管１０の接続口１１に接続され、配管１０からの給水を通水自在となっている。ケース３００は、一端を開口する大径の略有底円筒状をなすケース本体３０１を有している。ケース本体３０１の一端（図６〜図７の下端）の円形の開口部分の外周面には、雄ねじ３０１ａが形成されている。また、ケース本体３０１の円形の開口部分には、対応する直径の短かい有底円筒状をなすケースキャップ３０２がそれぞれ同軸状に装着されている。ケースキャップ３０２の一端の開口部分の内周面には雌ねじ３０２ａが形成されている。そして、ケースキャップ３０２の雌ねじ３０２ａをケース本体３０１の雄ねじ３０１ｃに螺合することにより、ケースキャップ３０２をケース本体３０１に水密に取付けるようになっている。ケースキャップ３０２の他端の底部側中央には、円筒状の連結部３０３が同軸状に取付けられている。また、連結部３０３には、球状の枢着部３０４が同軸状に取付けられている。枢着部３０４には、軸方向に延びる通水孔３０４ａが穿設されている。
【００４７】
前記ケース本体３０１の内部には、塩素除去カートリッジ３１０が同心状（同軸状）に収容配置されている。この塩素除去カートリッジ３１０は、前記塩素除去カートリッジ１１０の濾過槽１１１〜１１３と同様の構造を有する一方、より大径をなす濾過槽３１１を有する。即ち、濾過層は、透水性の大径の円筒状をなす繊維状活性炭フィルタに、鉛除去効果を有するイオン交換成分を含有したものである。濾過層３１１の内周面により、その軸方向に延びる円柱状の導水通路３１５が内部に形成される。また、図７に示すように、塩素除去カートリッジ３１０の上端面及び下端面は、それぞれ、前記カートリッジキャップ１１６をより大径とした構造の円盤状をなすカートリッジキャップ３１６Ａにより水密に遮蔽されている。カートリッジキャップ３１６Ａの中央には円形の通水孔３１６ａが穿設されている。更に、塩素除去カートリッジ３１０は、ケース本体３０１とケースキャップ３０２とにより形成される内部空間に収容した状態で、カートリッジキャップ３１６Ａの通水孔３１６ａを連結部３０３に水密に接続している。これにより、塩素除去カートリッジ３１０の導水通路３１５が、枢着部３０４の通水孔３０４ａと前記連結部３０３を介して連通する。また、このとき、塩素除去カートリッジ３１０の外層フィルタ３１２の外周面全体とケース本体３０１の内周面との間には原水通路３１７が形成される。なお、塩素除去カートリッジ３１０の導水通路３１５内には、前記ＥＭＸセラミックス等の機能付与剤を充填してもよい。
【００４８】
一方、ケース本体３０１の他端（上端）の中央には、円筒状の接続部３０５が一体形成されている。また、接続部３０５の内周面には雌ねじ３０５ａが形成されている。そして、給水源としての配管１０の接続口１１の雄ねじ１１ａに前記接続部３０５の雌ねじ３０５ａを螺合することにより、ケース３００を配管１０に水密に接続するようになっている。なお、接続部３０５の開口は、前記給水源からの原水が流入する入水口３０５ｂとなっている。更に、ケース本体３０１の底部側の内面には、前記接続部３０５と同軸状に大径円筒状の収容部３０６Ａが一体形成されている。そして、収容部３０６Ａ内に前記塩素除去カートリッジ３１０の上端側のカートリッジキャップ３１６Ａの通水孔３１６ａ部分の円筒状部を密接して嵌め込むことにより、接続部３０５の入水口３０５ｂとカートリッジキャップ３１６Ａの通水孔３１６ａ部分の円筒状部が接続部３０５と水密に接続され、入水口３０５ｂと通水孔３１６ａとが連通する。なお、図示はしないが、ケース３００には、実施の形態１の切替リング１２２、切替弁１２３、弁支持体１２４等と同様の切替弁及び切替手段が設けられている。そして、切替手段は、配管１０から接続部３０５の入水口３０５ｂに流入した原水を前記濾過層３１１を通過させることなくそのままシャワーヘッド４００に供給する原水位置と、配管１０からの原水を濾過層３１１を通過させて浄化した後、その浄水をシャワーヘッド４００に供給する浄水位置との間で前記切替弁を切替自在なっている。
【００４９】
或いは、図９に示すように、塩素除去カートリッジ３１０の上端面は、単なる円盤状の遮蔽板３１６Ｂにより水密に遮蔽することもできる。この場合、ケース本体３０１の底部側の内面には、前記接続部３０５と同軸状に大径円筒状の当接部３０６Ｂが一体形成されている。そして、収容部３０６Ｂの先端に前記塩素除去カートリッジ３１０の上端側の遮蔽板３１６Ｂを当接させることにより、接続部３０５の入水口３０５ｂからの原水が、当接部３０６Ｂから前記原水通路３１７に流入し、濾過層３１１を経て導水通路３１５内に流入し、浄水となって、下端のカートリッジキャップ３１６Ａの通水孔３１６ａから流出する。なお、この場合、前記切替弁及び切替手段は設ける必要がない。
【００５０】
図８に示すように、ケースキャップ３０２の底部側には、前記連結部３０３を取り囲むようにして、積層リング板状の交換時期表示板３０７が正逆回転可能に取付けられている。交換時期表示板３０７は、２枚の同一形状のリング板を重ね合わせた構成を有している。交換時期表示板３０７の下層のリング板は、周方向に一定角度間隔で月表示３０７ａを設けている。また、交換時期表示板３０７の上層のリング板は、前記下層のリング板の月表示３０７ａに対応する放射方向位置に、月表示３０７ａに対応する外形の略四角形状の表示孔３０７ｂを穿設している。そして、交換時期表示板３０７の上層のリング板を回転することにより、表示孔３０７ｂを下層のリング板の所望の月表示３０７ａに対向させて、その月表示３０７ｂを表示させるようになっている。これにより、ケース３００内に収容した塩素除去カートリッジ３１０の交換時期を使用者等に報知することができる。なお、図８では、説明の便宜上、交換時期表示板３０７の下層のリング板のみ全体を図示し、上層のリング板は、表示孔３０７ｂのみ図示している。
【００５１】
前記シャワーヘッド４００は、接続部としてのケース３００に接続され、ケース３００からの給水を通水自在である。シャワーヘッド４００は、一端を円形開口とした略有底円筒状をなすヘッド本体４０１を有している。ヘッド本体４０１の他端の底部側の中央には、円筒状の取付部４０２が一体形成されている。ヘッド本体４０１は、取付部４０２に前記枢着部３０４を収容して水密に取付けることにより、前記ケース３００に対して任意の方向及び角度に傾動自在となる。また、このとき、ケース３００とヘッド本体４０１とが水密に接続され、ヘッド本体４０１の内部空間が、取付部４０２を介して枢着部３０４の枢着孔３０４ａと連通し、ケース３００内の塩素除去カートリッジからの浄水が、連結部３０３及び枢着部３０４を介してヘッド本体４０１内に導入自在となる。
【００５２】
前記シャワーヘッド４００の構成は、壁付タイプのものとして、実施の形態１のヘッドタイプのものより大径となる点等を除き、基本的に、実施の形態１のシャワーヘッド２００の構成と同様である。即ち、ヘッド本体４０１の一端部には、シャワーキャップ２３０が螺合して着脱自在に取付けられている。また、シャワー本体４０１の内部には、前記弁座２１１、切替弁２１５等が配設され、切替ボタン２２１により、シャワー本体４０１からの給水を、シャワー吐水部及び機能吐水部のいずれかへと切替えて供給自在となっている。なお、実施の形態２の弁座２１１、切替弁２１５等は、シャワーヘッド４００が大径となる分、実際は、実施の形態１ものより大径となるが、基本構造は同一である。
【００５３】
次に、機能剤吐水部を構成する機能剤カートリッジについて詳述する。図１０は本発明の実施の形態２に係る機能付シャワー装置の機能剤カートリッジのケースを示し、（ａ）は平面図、（ｂ）は底面図、（ｃ）は断面図、（ｄ）は（ｃ）のＡ−Ａ線断面図である。
【００５４】
実施の形態２の機能剤カートリッジ４４０は、シャワーヘッド４００を大型化したため、実施の形態１の機能剤カートリッジ２４０より大型化されている。具体的には、図１０に示すように、機能剤カートリッジ４４０は、機能剤カートリッジ２４０と同様、有底円筒状のケース４４１を有し、シャワーキャップ２３０内の所定位置に収容は位置されている。そして、前記切替弁２１５の第１の位置では、ヘッド本体４０１からの水が、切替弁２１５及び弁座２１１を介して前記シャワー吐水用通水路に流入し、円盤状部２３２のシャワー吐水孔２３２ａから吐出される。また、切替弁２１５の第２の位置では、ヘッド本体４０１からの水が、切替弁２１５及び弁座２１１を介して前記機能吐水用通水路に流入し、機能剤カートリッジ４４０の他端側の開口部分から機能剤カートリッジ４４０内に流入する。機能剤カートリッジ４４０内に流入した水は、機能剤カートリッジ４４０により所定の機能を付与されて機能水となり、その機能水が、機能剤カートリッジ４４０から放出されて、前記機能吐水孔２３２ｂから吐出される。
【００５５】
機能剤カートリッジ４４０のケース４４１は、シャワーヘッド４００のシャワーキャップ２３０内に同軸状に収容されるハニカム筒状をなす。即ち、ケース４４１は、９つの小筒状の通水部４４２を、互いに平行となるようハニカム状に並設して一体形成し、これらがシャワーキャップ２３０の軸心に沿って延びるよう配置している。各通水部４４２は、一定の断面形状で軸心方向に延びる断面多角形筒状、詳細には、八角形筒状をなしている。また、ケース４４１は、通水部４４２を囲む円筒状の外壁４４３を一体形成している。具体的には、ケース４４１は、１つの大径の通水部４４２ａを外壁４４３の中心に配置し、その周囲に、同一寸法の小径の通水部４４２ｂを８つ、等角度間隔で密接配置している。更に、ケース４４１は、軸方向一端側に、各通水部４４２の一端の略中央を横切る抜止部４４４を一体形成している。具体的には、抜止部４４４は、中心の通水部４４２の中心を通って十字状に交差する直径方向部４４４ａを有している。また、抜止部４４４は、外壁４４３と中央の通水部４４２ａとの中間位置に、同心円状の周方向部４４４ｂを一体形成している。周方向部４４４ｂは、周囲の８つの通水部４４２ｂの中央を１方向（周方向）に横切る。
【００５６】
前記ケース４４１の各通水部４４２ａ，４４２ｂには、機能剤放出体４４５ａ，４４５ｂが収容配置される。大径の通水部４４２ａ用の機能剤放出体４４５ａは、小径の通水部４４２ｂ用の機能剤放出体４４５ｂより大径となっている。また、機能剤放出体４４５ａ，４４５ｂは、ケース４４１の通水部４４２ａ，４４２ｂと略同一長さを有し、通水部４４２ａ，４４２ｂに沿ってその全長を延びる円柱状をなす。また、各機能剤放出体４４５ａ，４４５ｂは、体感機能を発揮する体感剤乃至機能剤を含有し、通水部４４２ａ，４４２ｂへの通水に伴い各機能剤放出体４４５ａ，４４５ｂがその表面から機能剤を放出して前記通水に溶解させる。各機能剤放出体４４５ａ，４４５ｂは、機能剤放出体２４５と同様の円柱状の多孔質体、具体的には、多孔質セラミック体からなり、各通水部４４２ａ，４４２ｂ内に収容されたときに、その外周面全体と通水部４４２ａ，４４２ｂの間に、軸心方向の全長にわたって延びる通水空間を形成する。なお、各通水部４４２ａ，４４２ｂの上端側から内部に機能剤放出体２４５を収容したとき、機能剤放出体２４５の下端面が、通水部４４２ａ，４４２ｂの下端開口を横切る抜止部４４４に当接して、通水部４４２ａ，４４２ｂから脱落しないようになっている。なお、前記機能剤、及び、前記多孔質セラミック体は、実施の形態１と同様の構成とすることができる。
【００５７】
図１１は本発明の実施の形態１及び実施の形態２に係る機能付シャワー装置の機能剤カートリッジのケースに機能剤放出体を収容した状態を示す平面図であり、（ａ）は実施の形態２の場合を、（ｂ）は実施の形態１の場合を示す。
【００５８】
図１１に示すように、実施の形態１と同様、ケース４４１の各通水部４４２ａ，４４２ｂの内径は、各機能剤放出体４４５ａ，４４５ｂの外径より大きく設定され、ケース４４１に流入した水が機能剤放出体４４５ａ，４４５ｂの外周面全体を接触して通過するようにしている。また、通水部４４２ａ，４４２ｂは八角形筒状とされ、機能剤放出体４４５ａ，４４５ｂは円柱状とされることにより、通水部４４２ａ，４４２ｂ内に流入した水が、機能剤放出体４４５ａ，４４５ｂの外周面を螺旋状態で接触して通過する。
【００５９】
ケース４４１は、更に、外壁４４３の上端の円形の開口４４３ａに蓋体４４６を着脱自在に取付けるようになっている。蓋体４４６は蓋体２４６と同様の構成である。また、蓋体４４６の中央の装着孔４４６ａには、前記定流量弁２４７が着脱自在に取付けられている。そして、前記シャワーキャップ２３０内の切替弁２１５及び弁座２１１から供給された水が、機能剤カートリッジ４４０の定流量弁２４７内に流入してレギュレータ２４７ｂにより一定単位流量となるよう流量制御された後、その単位流量でケース４４１の各通水部４４２ａ，４４２ｂ内に流入し、通水部４４２ａ，４４２ｂ内の機能剤放出体４４５ａ，４４５ｂに接触して機能を付与された機能水となり、ケース４４１の通水部４４２ａ，４４２ｂから流出するようになっている。
【００６０】
なお、実施の形態２では、前記シャワーキャップ２３０の内周面と機能剤カートリッジ４４０の外周面との間に形成される通水路、円盤状部２３２のシャワー吐水孔２３２ａ及び必要な場合に設けられる散水板２３３により、シャワーヘッド２００に設けられて給水源からの水をシャワー状に吐出自在なシャワー吐水部が構成される。また、機能剤カートリッジ４４０及びシャワーキャップ２３０の円盤状部２３２の機能吐水孔２３２ｂにより、シャワーヘッド４００においてシャワー吐水部に隣接して設けられ、給水源からの水に機能剤を溶解等させて混合して吐出自在な機能剤吐水部が構成される。更に、機能剤カートリッジ４４０の定流量弁２４７により、機能剤吐水部に作用的に接続して設けられ、機能剤吐水部の単位吐水量が、シャワー吐水部の単位吐水量より小さくなるよう、機能剤吐水部の単位吐量を制御する吐水量制御手段が構成される。
【００６１】
ここで、吐水量制御手段としての定流量弁２４７は、実施の形態１と同様、ケース３００からの供給水圧の大小及びその水圧変化にかかわらず、機能剤吐水部を構成する機能剤カートリッジ４４０または機能吐水孔２３２ｂからの単位吐水量を、シャワー吐水部を構成するシャワー吐水孔２３２ａからの単位吐水量の所定割合以下となるよう制御する。
【００６２】
次に、機能剤カートリッジ４４０の組立方法について説明する。図１２は本発明の実施の形態２に係る機能付シャワー装置の機能剤カートリッジの組立方法を示す斜視図であり、（ａ）は機能剤カートリッジのケースから蓋体を取外し、ケースの通水部内に機能剤放出体を収容する状態を示し、（ｂ）は機能剤カートリッジのケースの通水部内に機能剤放出体を収容し、ケースに蓋体を取付けて機能剤カートリッジの組立を完成した状態を示し、（ｃ）は機能剤カートリッジをシャワーヘッドのシャワーキャップの所定位置に装着した状態を示す。図１３は本発明の実施の形態２に係る機能付シャワー装置の機能剤カートリッジの組立方法を示す斜視図であり、（ａ）は機能剤カートリッジのケースから蓋体を取外し、ケースの通水部内に機能剤放出体を収容する状態を示し、（ｂ）は機能剤カートリッジのケースの通水部内に機能剤放出体を収容し、ケースに蓋体を取付けて機能剤カートリッジの組立を完成した状態を示し、（ｃ）は機能剤カートリッジをシャワーヘッドのシャワーキャップの所定位置に装着した状態を示す。
【００６３】
図１２（ａ）及び図１３（ａ）に示すように、まず、柱状多孔質セラミック体にアロマオイル等の液状機能剤を含浸して機能剤放出体４４５を形成し、ケース４４１の全ての通水部４４２ａ，４４２ｂに機能剤放出体４４５ａ，４４５ｂをそれぞれ収容配置する。次に、図１２（ｂ）及び図１３（ｂ）に示すように、定流量弁２４７を装着した蓋体４４６を、ケース４４１の上端の開口４３３ａに装着して、通水部４４２から機能剤放出体４４５ａ，４４５ｂが抜け出るのを防止する。これにより、機能剤カートリッジ４４０が一体化されて完成する。その後、図１２（ｃ）及び図１３（ｃ）に示すように、一体となった機能剤カートリッジ４４０の外壁４４３の下端部を、シャワーキャップ２３０の円盤状部の支持突起２３５内に密接して嵌め込むことにより位置決めして保持する。このとき、機能剤カートリッジ４４０の外壁４４３の下端と抜止部４４４とが、円盤状部２３２の当接突起２３６に当接して、円盤状部２３２との間に若干の間隙を形成する。そして、機能剤カートリッジ４４０を嵌め込んだシャワーキャップ２３０を、ヘッド本体４０１に捩じ込みにより接続して、シャワーヘッド４００を完成する。このとき、機能剤カートリッジ４４０の上端は、ヘッド本体４０１内の外壁２１２の内側で内壁２１３に対向し、内壁２１３の先端が蓋体４４６に水密に当接して、弁座２１１の第２の通水孔と定流量弁２４７のレギュレータ２４７ｂとの間に通水空間を形成する。これにより、切替弁２１５の第２の位置で、ヘッド本体４０１からの給水が、弁座２１１の第２の通水孔を介して前記導水空間に流入し、定流量弁２４７のレギュレータ２４７ｂに流入して圧力制御された後、ケース４４１の通水部４４２ａ，４４２ｂ内に流入する。その後、通水部４４２ａ，４４２ｂ内で機能剤放出体４４５ａ，４４５ｂにより機能付与された機能水が、通水部４４２ａ，４４２ｂの下端から流出し、機能吐水孔２３２ｂから吐出される。なお、図１３に示すヘッドキャップ２３０では、円盤状部２３２の外壁２８５の突出長は、図１２の円盤状部２３２の外壁２３５の突出長より大きく設定され、これにより、外壁２８５とケース４４１の外壁４４３との接触面積がより大きくなっている。
【００６４】
実施の形態２に係る機能付シャワー装置は、実施の形態２に係る機能付シャワー装置と同様にして使用され、同様の作用及び効果を発揮する。
【００６５】
実施の形態３
本発明の実施の形態３に係る機能付シャワー装置について説明する。図１４は本発明の実施の形態３に係る機能付シャワー装置の内部構造を示す断面図である。
【００６６】
実施の形態３に係る機能付シャワー装置は、図１４に示すように、実施の形態１に係る機能付シャワー装置と同様、グリップ１００の先端にシャワーヘッド２５０を一体的に組み付けてなるヘッドタイプのものである。また、グリップ１００内の塩素除去カートリッジ１１０の導水通路１１５には、円柱状のＥＭＸセラミックス体１１８が複数直列に配置されている。一方、実施の形態３に係る機能付シャワー装置は、弁座２６１、切替弁２６５及び機能剤カートリッジ２９０の構成において、実施の形態１に係る機能付シャワー装置と異なる。実施の形態３に係る機能付シャワー装置のその他の構成は、実施の形態１に係る機能付シャワー装置と同様である。詳細には、実施の形態３に係る機能付シャワー装置は、実施の形態１の弁座２１１及び切替弁２１５に対応する弁座２６１及び切替弁２６５を備えている。弁座２６１は、実施の形態１の弁座２１１とほぼ同様の構成であり、第１の通水孔及び第２の通水孔（図示略）を穿設しているが、外壁２６２及び内壁２６３の形状を、実施の形態１の外壁２１２及び内壁２１３と若干異なる形状としている。また、切替弁２６５は、実施の形態１の切替弁２１５とほぼ同様の構成であるが、切替弁２１５の弁体２１６に対応する弁体２６６を球体とし、コイルスプリング２６７により弁体２６６を弁座２６１に対して押圧付勢している。更に、切替弁２６５は、切替ボタン２１５と同様、切替ボタン２２１に作用的に接続され、切替ボタン２２１を第１の位置または第２の位置に切替えることにより、切替弁２６５の弁体２６６の位置を、弁座２６１に穿設した第１及び第２の通水孔のいずれかへと切替えて配置し、弁体２６６により弁座２６１の第１または第２の通水孔をシール材等を介して水密に遮蔽自在となっている。なお、弁座２６１の他側に一体形成された外壁２６２は、弁座２６１の外周縁に沿って延び、かつ、弁座２６１と同軸状となる略円筒状をなし、ヘッド本体２０１の他端から所定長突出している。また、弁座２６１の他側に一体形成された内壁２６３は、外壁２６２よりも小径で、かつ、弁座２６１と同軸状に延びる短かい略円筒状をなし、ヘッド本体２０１の他端程度まで突出している。
【００６７】
切替ボタン２２１を第１の位置に切替えると、切替弁２６５の弁体２６６が外壁２６２と内壁２６３との間の部分に対応する弁座２６１部分に形成した第１の通水孔を開放すると共に、内壁２６３の内側に対応する弁座２６１部分に形成した第２の通水孔を水密に遮蔽する。これにより、ヘッド本体２０１に流入した水が、切替弁２６５及び弁座２６１の第１の通水孔を介して、外壁２６２と内壁２６３との間の空間であるシャワー吐水用通水路に流入する。一方、切替ボタン２２１を第２の位置に切替えると、切替弁２６５の弁体２６６が、弁座２６１の第１の通水孔を水密に遮蔽すると共に、弁座２６１の第２の通水孔を開放する。これにより、ヘッド本体２０１から流入した水が、切替弁２６５及び弁座２６１の第２の通水孔を介して、内壁２６３の内側の空間である機能吐水用通水路に流入する。
【００６８】
シャワーキャップ２３０の円盤状部２３２とヘッド本体２０１内の弁座２６１との間の空間には、機能剤カートリッジ２９０が着脱自在に位置固定して装着される。具体的には、機能剤カートリッジ２９０は、実施の形態１の機能剤カートリッジ２４０と同様のケース２４１を有し、ケース２４１内の通水部２４２に機能剤放出体２４５を収容したものである。一方、機能剤カートリッジ２９０は、機能剤カートリッジ２４０の蓋体２４６及び定流量弁２４７に対応して、蓋体２９６及び定流量弁２９７を有する。また、機能剤カートリッジ２９０は、蓋体２９６及び定流量弁２９７と通水部２４２及び機能剤放出体２４５との間に、拡散板２９８を同軸状に配置している。拡散板２９８は、ケース２４１の外壁２４３の内径と略同一の外径を有すると共に、外周縁をフランジ状に直交して屈曲した略円盤状をなす。そして、機能剤カートリッジ２９０は、ケース２４１の一端側の端部外周面を支持突起２８５の内周面に密接させて、その一端部を支持突起２８５内に水密に嵌め込むと共に、その一端を当接突起２３６に当接させる一方で、ケース２４１の他端側の開口部分を、前記内壁２６３に対して水密に接続している。これにより、切替弁２６５の第２の位置で、ヘッド本体２０１からの水が、切替弁２６５及び弁座２６１を介して前記機能吐水用通水路に流入し、機能剤カートリッジ２９０の他端側の開口部分から機能剤カートリッジ２９０内に流入する。機能剤カートリッジ２９０内に流入した水は、機能剤カートリッジ２９０により所定の機能を付与されて機能水となり、その機能水が、機能剤カートリッジ２９０から放出されて、機能吐水孔２３２ｂから吐出される。
【００６９】
次に、機能剤吐水部を構成する機能剤カートリッジの蓋体、定流量弁及び拡散板について詳述する。図１５は本発明の実施の形態３に係る機能付シャワー装置の機能剤カートリッジの蓋体及び定流量弁を示す断面図であり、（ａ）は蓋体から定流量弁を取り外した状態を、（ｂ）は蓋体に定流量弁を挿着した状態を示す。なお、説明の便宜上、図１５において、定流量弁は、右半部のみを断面にて示し、左半部は外観図となっている。図１６は本発明の実施の形態３に係る機能付シャワー装置の機能剤カートリッジの拡散板を示す平面図である。
【００７０】
機能剤カートリッジ２９０のケース２４１の外壁２４３の上端の円形の開口２４３ａには、実施の形態１の蓋体２４６に対応して、蓋体２９６が着脱自在に取付けられている。蓋体２９６は、ケース２４１の開口２４３ａの内径と略同一外径の略リング板状をなす。また、蓋体２９６の中央には、大径の円形孔状をなす装着孔２９６ａと、前記装着孔２９６ａと同軸状の通水孔２９６ｂとが、蓋体２９６の軸方向に貫通して形成されている。そして、図１５（ｂ）に示すように、蓋体２９６の装着孔２９６ａには定流量弁２９７が着脱自在に取付けられている。定流量弁２９７は、蓋体２９６の装着孔２９６ａの内径と略同一外径を有する略リング板状をなす。また、定流量弁２９７の中央には、図１５（ａ）に示すように、曲面凹状の受水孔２９７ａと、前記受水孔２９７ａと同軸状の通水孔２９７ｂとが、定流量弁２９７の軸方向に貫通して形成されている。なお、かかる定流量弁２９７としては、米国ＶＥＲＮＡＹ社製の定流量１リットルタイプ（正確には、１．１４ｌタイプ）のものを好適に使用することができる。
【００７１】
拡散板２９８は、図１６に示すように、中央部に、複数（例えば、４個）の小円形孔からなる通水孔２９８ａを穿設している。通水孔２９８ａは、一定角度間隔で円形状に配置されている。また、拡散板２９８は、外周縁側に複数（例えば、１２個）の小円形孔からなる通水孔２９８ｂを穿設している。通水孔２９８ｂは、一定角度間隔で円形状に配置されている。ここで、拡散板２９８は、ケース２４１の外壁２４３内に密接した状態で、通水部２４２の上端位置に対向して配置される。このとき、拡散板２９８の中央の通水孔２９８ａが、ケース２４１内の中央の通水部２４２及び機能剤放出体２４５に対向する。また、拡散板２９８の外周縁側の通水孔２９８ｂが、ケース２４１内の外周側の６つの通水部２４２及び機能剤放出体２４５に対向する。
【００７２】
そして、シャワーキャップ２３０内の切替弁２６５及び弁座２６１から供給された水が、機能剤カートリッジ２９０の定流量弁２９７内に流入して、定流量弁２９７の受水孔２９７ａ及び通水孔２９７ｂを通過することにより、一定単位流量となるよう流量制御されるようになっている。その後、定流量弁２９７からの水は、その単位流量で、拡散板２９８の中央の通水孔２９８ａにより、中央の通水部２４２及び機能剤放出体２４５に導かれると共に、拡散板２９８の外周側の通水孔２９８ｂにより、外周側の通水部２４２及び機能剤放出体２４５に導かれる。即ち、定流量弁２９７からの水は、拡散板２９８を介して、前記単位流量で、ケース２４１の各通水部２４２内に確実に、かつ、均等に流入する。そして、通水部２４２内の水は、機能剤放出体２４５に接触して機能を付与された機能水となり、通水部２４２から流出する。
【００７３】
実施の形態４
本発明の実施の形態４に係る機能付シャワー装置について説明する。図１７は本発明の実施の形態４に係る機能付シャワー装置の内部構造を示す断面図である。図１８は本発明の実施の形態４に係る機能付シャワー装置の機能剤カートリッジの組立方法を示す斜視図であり、（ａ）は機能剤カートリッジのケースから蓋体を取外し、ケースの通水部内に機能剤放出体を収容する状態を示し、（ｂ）は機能剤カートリッジのケースの通水部内に機能剤放出体を収容し、ケースに蓋体を取付けて機能剤カートリッジの組立を完成した状態を示し、（ｃ）は機能剤カートリッジをシャワーヘッドのシャワーキャップの所定位置に装着した状態を示す。図１９は本発明の実施の形態４に係る機能付シャワー装置の機能剤カートリッジの組立方法を示す斜視図であり、（ａ）は機能剤カートリッジのケースから蓋体を取外し、ケースの通水部内に機能剤放出体を収容する状態を示し、（ｂ）は機能剤カートリッジのケースの通水部内に機能剤放出体を収容し、ケースに蓋体を取付けて機能剤カートリッジの組立を完成した状態を示し、（ｃ）は機能剤カートリッジをシャワーヘッドのシャワーキャップの所定位置に装着した状態を示す。
【００７４】
実施の形態４に係る機能付シャワー装置は、図１７に示すように、実施の形態２に係る機能付シャワー装置と同様、ケース３００の先端にシャワーヘッド４５０を一体的に組み付けてなる壁付タイプのものである。一方、実施の形態４に係る機能付シャワー装置は、弁座４６１、切替弁４６５及び機能剤カートリッジ４９０の構成において、実施の形態２に係る機能付シャワー装置と異なる。実施の形態４に係る機能付シャワー装置のその他の構成は、実施の形態２に係る機能付シャワー装置と同様である。詳細には、実施の形態４に係る機能付シャワー装置は、実施の形態１の弁座２１１及び切替弁２１５に対応する弁座４６１を備えている。弁座４６１は、実施の形態３の弁座２６１とほぼ同様の構成であり、第１の通水孔及び第２の通水孔（図示略）を穿設すると共に、外壁４６２及び内壁４６３の形状を、実施の形態３の外壁２６２及び内壁２６３の形状と同様としている。また、実施の形態４に係る機能付シャワー装置は、実施の形態３と同様、切替弁２６５を有している。なお、弁座４６１及び切替弁２６５は、シャワーヘッド４５０の外径が実施の形態３のシャワーヘッド２５０より大径となることに対応して、実施の形態３の弁座２６１及び切替弁２６５より大径及び大きい寸法となっている。そして、切替弁２６５は、切替ボタン２２１に作用的に接続され、切替ボタン２２１を第１の位置または第２の位置に切替えることにより、切替弁２６５の弁体２６６の位置を、弁座４６１に穿設した第１及び第２の通水孔のいずれかへと切替えて配置し、弁体２６６により弁座４６１の第１または第２の通水孔をシール材等を介して水密に遮蔽自在となっている。なお、弁座４６１の他側に一体形成された外壁４６２は、弁座４６１の外周縁に沿って延び、かつ、弁座４６１と同軸状となる略円筒状をなし、ヘッド本体２０１の他端から所定長突出している。また、弁座４６１の他側に一体形成された内壁４６３は、外壁４６２よりも小径で、かつ、弁座４６１と同軸状に延びる短かい略円筒状をなし、ヘッド本体２０１の他端程度まで突出している。
【００７５】
切替ボタン２２１を第１の位置に切替えると、切替弁２６５の弁体２６６が外壁４６２と内壁４６３との間の部分に対応する弁座４６１部分に形成した第１の通水孔を開放すると共に、内壁４６３の内側に対応する弁座４６１部分に形成した第２の通水孔を水密に遮蔽する。これにより、ヘッド本体２０１に流入した水が、切替弁２６５及び弁座４６１の第１の通水孔を介して、外壁２６２と内壁４６３との間の空間であるシャワー吐水用通水路に流入する。一方、切替ボタン２２１を第２の位置に切替えると、切替弁２６５の弁体２６６が、弁座４６１の第１の通水孔を水密に遮蔽すると共に、弁座４６１の第２の通水孔を開放する。これにより、ヘッド本体２０１から流入した水が、切替弁２６５及び弁座４６１の第２の通水孔を介して、内壁４６３の内側の空間である機能吐水用通水路に流入する。
【００７６】
シャワーキャップ２３０の円盤状部２３２とヘッド本体２０１内の弁座４６１との間の空間には、機能剤カートリッジ４９０が着脱自在に位置固定して装着される。具体的には、機能剤カートリッジ４９０は、実施の形態２の機能剤カートリッジ４４０と同様のケース４４１を有し、ケース４４１内の通水部４４２ａ，４４４２ｂに機能剤放出体４４５ａ，４４５ｂを収容したものである。一方、機能剤カートリッジ４９０は、機能剤カートリッジ４４０の蓋体４４６及び定流量弁２４７に対応して、蓋体４９６及び定流量弁２９７を有する。また、機能剤カートリッジ４９０は、蓋体４９６及び定流量弁２９７と通水部４４２ａ，４４２ｂ及び機能剤放出体４４５ａ，４４５ｂとの間に、拡散板４９８を同軸状に配置している。拡散板４９８は、実施の形態３の拡散板２９８と同様の構成を有する一方、ケース４４１をケース２４１より大径としたことに対応して、拡散板２９８より大径となっている。即ち、拡散板４９８は、ケース４４１の外壁４４３の内径と略同一の外径を有すると共に、外周縁をフランジ状に直交して屈曲した略円盤状をなす。そして、機能剤カートリッジ４９０は、ケース４４１の一端側の端部外周面を支持突起２８５の内周面に密接させて、その一端部を支持突起２８５内に水密に嵌め込むと共に、その一端を当接突起２３６に当接させる一方で、ケース４４１の他端側の開口部分を、前記内壁４６３に対して水密に接続している。これにより、切替弁２６５の第２の位置で、ヘッド本体２０１からの水が、切替弁２６５及び弁座４６１を介して前記機能吐水用通水路に流入し、機能剤カートリッジ４９０の他端側の開口部分から機能剤カートリッジ４９０内に流入する。機能剤カートリッジ４９０内に流入した水は、機能剤カートリッジ４９０により所定の機能を付与されて機能水となり、その機能水が、機能剤カートリッジ４９０から放出されて、機能吐水孔２３２ｂから吐出される。
【００７７】
機能剤カートリッジ４９０のケース４４１の外壁４４３の上端の円形の開口４４３ａには、実施の形態２の蓋体４４６に対応して、蓋体４９６が着脱自在に取付けられている。蓋体４９６は、実施の形態３の蓋体２９６と同様の構成を有する一方、ケース４４１をケース２４１より大径としたことに対応して、蓋体２９６より大径となっている。即ち、蓋体４９６は、ケース４４１の開口４４３ａの内径と略同一外径の略リング板状をなす。また、蓋体４９６の中央には、大径の円形孔状をなす装着孔４９６ａと、前記装着孔４９６ａと同軸状の通水孔４９６ｂとが、蓋体４９６の軸方向に貫通して形成されている。そして、図１５（ｂ）に示すように、蓋体４９６の装着孔４９６ａには定流量弁２９７が着脱自在に取付けられている。
【００７８】
拡散板４９８は、拡散板２９８の通水孔２９８ａ及び通水孔２９８ｂに対応して、中央部の複数（例えば、４個）の通水孔４９８ａと、外周縁側の複数（例えば、１２個）の通水孔４９８ｂとを穿設している。拡散板４９８は、ケース４４１の外壁４４３内に密接した状態で、通水部４４２ａ，４４２ｂの上端位置に対向して配置される。このとき、拡散板４９８の中央の通水孔４９８ａが、ケース４４１内の中央の通水部４４２ａ及び機能剤放出体４４５ａに対向する。また、拡散板４９８の外周縁側の通水孔４９８ｂが、ケース４４１内の外周側の８つの通水部４４２ｂ及び機能剤放出体４４５ｂに対向する。
【００７９】
そして、シャワーキャップ２３０内の切替弁２６５及び弁座４６１から供給された水が、機能剤カートリッジ４９０の定流量弁２９７内に流入して、一定単位流量となるよう流量制御され、その後、定流量弁２９７からの水が、その単位流量で、拡散板４９８の中央の通水孔４９８ａにより、中央の通水部４４２ａ及び機能剤放出体４４５ａに導かれると共に、拡散板４９８の外周側の通水孔４９８ｂにより、外周側の通水部４４２ｂ及び機能剤放出体４４５ｂに導かれる。即ち、定流量弁２９７からの水は、拡散板４９８を介して、前記単位流量で、ケース４４１の各通水部４４２ａ，４４２ｂ内に確実に、かつ、均等に流入する。そして、通水部４４２ａ，４４２ｂ内の水は、機能剤放出体４４５ａ，４４５ｂに接触して機能を付与された機能水となり、通水部４４２ａ，４４２ｂから流出する。
【００８０】
なお、前記機能剤カートリッジ４９０は、図１８及び図１９に示すように、実施の形態２で述べたと同様にして組み立てられる。
【００８１】
次に、本発明の実施の形態１〜実施の形態４に係る機能付シャワー装置の製造に使用する含浸装置について説明する。図２０は本発明の実施の形態１〜実施の形態４に係る機能付シャワー装置の機能剤放出体に液状機能剤を含浸するために使用する含浸装置を示す正面図である。
【００８２】
図２０に示すように、含浸装置５００は、含浸対象物としての多孔質セラミックに含浸用液剤を含浸するものであって、含浸用液剤としての前記液状機能剤を貯留する液剤タンク５１０を備える。また、含浸装置５００は、液剤タンク５１０との間で含浸用液剤を流通自在なよう、配管５１１及びバルブ５１２を介して、気密容器５２０を接続している。詳細には、気密容器５２０は、上端に開口を有する有底筒状の容器本体５２１と、容器本体５２１の上端５２１を気密に遮蔽自在な蓋体５２２とを有している。そして、容器本体５２１と蓋体５２２とにより形成される内部空間が、液剤タンク５１０に接続されて、含浸用液剤の含浸対象物としての多孔質セラミック材料を気密状態で収容自在な気密室５２３となっている。また、気密容器５２０の容器本体５２１には圧力計５２４が接続され、気密室５２３内の圧力を測定表示自在となっている。更に、気密容器５２０の蓋体５２２には、エア導入部５２５が接続されている。エア導入部５２５は、その操作ハンドル５２６を閉状態へと操作することにより、内部のバルブを閉塞して、気密容器５２０の気密室５２３との連通を遮断する。バルブ一方、気密容器５２０の気密室５２３内には、メッシュかご状の収容容器５２７が収容配置されている。収容容器５２７内には、前記機能剤放出体２４５，４４５ａ，４４５ｂの多孔質セラミック体を多数収容自在である。気密容器５２０の容器本体５２１には、配管５３１及びバルブ５３２を介して、真空ポンプ５４０が接続されている。バルブ５３２を開状態に操作することにより、真空ポンプ５４０が、配管５３１を介して気密容器５２０の気密室５２３を真空吸引して所定の真空状態とする。なお、操作ハンドル５２６を開状態へと操作することにより、エア導入部５２５のバルブを開放して、真空状態とした気密室５２３内に外部から空気を導入自在となっている。即ち、エア導入部５２５及び操作ハンドル５２６は、気密室を真空状態から常圧へと復帰させる圧力復帰手段を構成する。
【００８３】
上記各実施の形態の機能剤放出体２４５，４４５ａ，４４５ｂは、含浸装置５００を使用し、多孔質セラミック体に液状機能剤を含浸することにより、以下のようにして製造される。具体的には、まず、収容工程において、収容容器５２７に多数の多孔質セラミック体を収容し、気密容器５２０の蓋体５２２を開いて、容器本体５２１内に収容容器５２７を載置する。次に、気密容器５２０の蓋体５２２を閉じ、気密室５２３を気密状態とする。このとき、液剤タンク５１０に接続するバルブ５１２は閉じた状態に維持し、液剤タンク５１０が配管５１１を介して気密室５２３と流通しないようにする。また、エア導入部５２６のバルブも閉じた状態に維持し、気密室５２３内に外気が侵入しないようにする。次に、含浸工程で、バルブ５３２を開き、配管５３１を介して真空ポンプ５４０により気密室５２３を真空吸引して所定の真空状態とする。なお、このときの真空ポンプ５４０の吸引圧は、低真空を含む任意の真空圧とすることができるが、例えば、−７５０ｍｍＨｇまたは−７６０ｍｍＨｇ等の真空圧とすることができる。気密室５２３を所定の真空圧としたら、バルブ５３２を閉じ、気密室５３２内の所定の真空状態を維持する。次に、バルブ５１２を開き、配管５１１を介して液剤タンク５２０と気密室５２３とを流通状態として、気密室５２３内の真空圧により、液剤タンク５１０の液状機能剤を気密室５２３内に吸引して導入する。すると、導入した液状機能剤が、気密室５２３内の収容容器５２７内の多孔質セラミック体の内部の隅々まで、真空圧により強制的に均一に含浸される。その後、還流工程で、操作ハンドル５２６を操作してエア導入部５２５のバルブを開き、気密室５２３内に外気を導入して気密室５２３内を大気圧に復帰する。すると、気密室５２３内に滞留する液状機能剤が、配管５１１を介して液剤タンク５１０内に落下して還流する。その後、取出工程で、気密容器５２０の蓋体５２２を開き、収容容器５２７を容器本体５２１から取出し、液状機能剤を十分に含浸した多孔質セラミック体を収容容器５２７から取出して自然乾燥し、機能剤放出体２４５，５４５ａ，５４５ｂとする。
【００８４】
実施の形態５
本発明の実施の形態５に係る機能付シャワー装置について説明する。図２１は本発明の実施の形態５に係る機能付シャワー装置のシャワーヘッド部分を示す断面図である。
【００８５】
実施の形態５に係る機能付シャワー装置は、図２１に示すように、実施の形態２と同様の壁付タイプのものであり、機能剤カートリッジ６４０関連の構成を除き、実施の形態２に係る機能付シャワー装置とほぼ同様の構成を有する。具体的には、機能剤吐水部を構成する機能剤カートリッジ６４０は、両端を円形開口とした円筒状のケース６４１を有している。ケース６４１により、シャワーヘッド３００内に収容され、シャワーヘッド３００の軸心に沿って延びる筒状の通水部が構成されている。また、ケース６４１の上端の開口は、円盤状の押圧板６４２により遮蔽されている。押圧板６４２は複数の小孔状の通水孔６４２ａを穿設している。更に、押圧板６４２の上面には、リング状のパッキン６４３が載置され、パッキン６４３の中央の円形等の通水孔６４３ａを介して、押圧版６４２の通水孔６４２ａからケース６４１内部に通水するようになっている。一方、ケース６４１の下端の開口は、円盤状の拡散板６４４により遮蔽されている。拡散板６４４は多数の小孔状の通水孔６４４ａを穿設している。なお、ケース６４１は、前記内壁２１３にパッキン６４３を水密に当接させることにより、内壁２１３内側の水がパッキン６４３の通水孔６４３ａから押圧板６４２の通水孔６４２ａを経てケース６４１内に流入するようになっている。また、ケース６４１は、その下端部を前記散水板２２３に形成した短円筒状の支持突起２３３ａ内に密接して水密に嵌め込むことにより、内部の水を拡散板６４４の通水孔６４４ａから円盤状部２３２の機能吐水孔２３２ｂへと放出するようになっている。
【００８６】
ケース６４１からなる通水部内には、多数の小球状の機能剤放出体６４５が互いに密接して充填されている。各機能剤放出体６４５は、小球状の多孔質セラミック体に前記液状機能剤を含浸してなる。そして、ケース６４１への通水に伴い、多数の機能剤放出体６４５間を前記通水が進行して、各機能剤放出体６４５がその外周面から液状機能剤を放出して前記通水に溶解させるようになっている。なお、機能剤放出体６４５の直径は、例えば、約３ｍｍ、５ｍｍ、７ｍｍ等とすることができ、収容個数は、ケース６４１の容積に応じた数、例えば、７０〜１００個程度とすることができる。ここで、多数の機能剤放出体６４５は、網状の収容小袋に充填し、その状態でケース６４１内に収容配置してもよい。また、前記機能剤放出体６４５の多孔質セラミック体への液状機能剤の含浸は、図１４に示す含浸装置５００を使用して行うことができる。なお、実施の形態５では、機能剤カートリッジ６４０には定流量弁は配設されず、流量制御は行われていない。
【００８７】
実施の形態５に係る機能付シャワー装置は、実施の形態１に係る機能付シャワー装置と同様にして使用され、同様の作用及び効果を発揮する。
【００８８】
実施の形態６
本発明の実施の形態６に係る機能付シャワー装置について説明する。図２２は本発明の実施の形態６に係る機能付シャワー装置のシャワーヘッド部分を示す断面図である。
【００８９】
実施の形態６に係る機能付シャワー装置は、図２２に示すように、実施の形態１と同様のヘッドタイプのものであり、機能剤カートリッジ７４０等の構成を除き、実施の形態１に係る機能付シャワー装置とほぼ同様の構成を有する。具体的には、機能剤カートリッジ７４０は、円筒状のケース７４１を有すると共に、その下端をケースキャップ１３０の円盤状部２３２の中央部に、前記機能吐水孔２３２ｂの外周を囲むよう一体形成している。更に、ケース７４１の上端の円形の開口は、円盤状の押圧板６４２により遮蔽されている。押圧板７４２は複数の小孔状の通水孔７４２ａを穿設している。なお、押圧板７４２の上面には、前記パッキン６４３が載置されている。一方、ケース７４１の下端には、前記拡散板６４４が配置されている。また、ケース７４１は、前記内壁２１３にパッキン６４３を水密に当接させることにより、内壁２１３内側の水がパッキン６４３の通水孔６４３ａから押圧板７４２の通水孔７４２ａを経てケース７４１内に流入するようになっている。
【００９０】
機能剤カートリッジ７４０の機能剤放出体(図示略)は、主材としての保湿剤、クール剤、香料等の機能剤成分を、練り込みや結合剤による結合等により円柱状等に固形化した固体状をなす。機能剤放出体は、ケース７４１内に収容され、ケース７４１への通水に伴い、それ自体が外表面側から前記通水中に溶解するようになっている。なお、実施の形態６では、機能剤カートリッジ７４０には定流量弁は配設されず、流量制御は行われていない。しかし、機能剤放出体をこのように固形物とした場合、通水との接触表面積が相対的に少なくなるため、通水との接触時間を増大すべく、定流量弁による流量制御を行ってもよい。この場合、定流量弁による一定流量は、例えば、０．５ｌ／分程度と、上記実施の形態の場合より小さい値に設定することが好ましい。
【００９１】
実施の形態６に係る機能付シャワー装置は、実施の形態１に係る機能付シャワー装置と同様にして使用され、同様の作用及び効果を発揮する。
【００９２】
ところで、本発明に係る機能付シャワー装置は、シャワーヘッドの少なくとも前記機能剤吐水部に対応する部分をクリア樹脂により透明に形成してもよい。例えば、シャワーキャップは、アクリル樹脂等のクリア樹脂により形成することが好ましい。この場合、意匠的効果を発揮できるのみならず、前記シャワーヘッド内部の前記機能剤吐水部の機能剤の状態を外部から監視することができる。なお、この場合、例えば、機能剤放出体を実施の形態１〜３のように多孔質セラミック体より構成する場合は、液状機能剤の含有量が所定量以下に減少となると、機能剤放出体の多孔質セラミック体の色を所定の色に変色するよう構成する。こうすると、機能剤放出体内部の液状機能剤の減少程度を目視により確認することができる。なお、機能剤放出体を実施の形態６のように固形物により構成する場合、固形物の体積の減少により、残留放出可能量乃至持続時間を目視で確認することができる。
【００９３】
また、上記各実施の形態では、吐水量制御手段としての定流量弁２４７，２９７は、機能剤カートリッジ２４０，２９０，４４０，４９０の一部品として一体的に設けているが、機能剤カートリッジとは別体として、別個の場所に設けてもよい。或いは、吐水量制御手段は、上記定流量弁２４７以外の構成とすることも可能である。更に、機能剤カートリッジ２４０，２９０，４４０，４９０の通水部２４２，４４２ａ，４４２ｂは、ケース２４３，４４３の軸心に沿って同一方向に平行に延びるよう設けられ、機能剤放出体２４５，４４５ａ，４４５ｂもこれに対応して直線棒状乃至円柱状となっているが、水に機能剤を溶解して機能水吐出孔２３２ｂから吐出可能な限りにおいて、通水部及び機能剤放出体を湾曲、屈曲、迂回等して延びるよう設けてもよい。この場合、直線状のものと比較して、カートリッジの長さ（軸長）が同一の場合でも、通水部及び機能剤放出体の全長を増大し、機能剤放出体の水の接触面積を増大して、機能剤の放出効率を増加することができる。或いは、通水部は、シャワーヘッドの軸心と略同一方向に延びる直線筒状とする以外に、若干異なる方向、例えば、傾斜方向に延びるよう構成することも可能である。また、通水部は、互いに略平行となるよう延びる以外に、互いに異なる方向に延びるよう構成することも可能である。即ち、通水部は、入口側から出口側へと通水可能であれば任意の構造とすることができる。
【００９４】
機能剤放出体は、実施の形態１〜５のように、柱状または球状の多孔質セラミック体の内部に精油等を含浸し、多孔質セラミック体の表面に水が接触して通過する際に内部の精油等を表面から放出自在なよう構成するほか、実施の形態６のように、表面に水が接触して通過する際にそれ自体が溶解する円柱状等の固形状体とすることもできる。更に、実施の形態１〜５の柱状または球状の機能剤放出体を、固形状体と同様の材料により形成し、表面に水が接触して通過する際にそれ自体が溶解するようにしてもよい。また、多孔質セラミック体を円筒状に形成して接触表面積を増大したり、三角形、四角形、その他の角形柱状または筒状に形成したりしてもよい。更に、前記液状機能剤は、香油、精油等の体感剤とする他、ビタミンＣを溶解した水とすることができる。この場合、ビタミンＣにより脱塩素・分解効果を発揮することができる。
【図面の簡単な説明】
【００９５】
【図１】図１は本発明の実施の形態１に係る機能付シャワー装置の外観を示す斜視図である。
【図２】図２は本発明の実施の形態１に係る機能付シャワー装置の一部を破断して内部構造を示す斜視図である。
【図３】図３は本発明の実施の形態１に係る機能付シャワー装置の内部構造を示す断面図である。
【図４】図４は本発明の実施の形態１に係る機能付シャワー装置の機能剤カートリッジのケースを示し、（ａ）は平面図、（ｂ）は底面図、（ｃ）は断面図、（ｄ）は（ｃ）のＡ−Ａ線断面図である。
【図５】図５は本発明の実施の形態１に係る機能付シャワー装置の機能剤カートリッジの蓋体及び定流量弁を示す断面図であり、（ａ）は蓋体から定流量弁を取り外した状態を、（ｂ）は蓋体に定流量弁を挿着した状態を示す。
【図６】図６は本発明の実施の形態２に係る機能付シャワー装置の外観を示す斜視図である。
【図７】図７は本発明の実施の形態２に係る機能付シャワー装置の一部を破断して内部構造を示す斜視図である。
【図８】図８は本発明の実施の形態２に係る機能付シャワー装置のケースの交換時期表示板を示す底面図である。
【図９】図９は本発明の実施の形態２に係る機能付シャワー装置の要部を破断して内部構造を示す正面図である。
【図１０】図１０は本発明の実施の形態２に係る機能付シャワー装置の機能剤カートリッジのケースを示し、（ａ）は平面図、（ｂ）は底面図、（ｃ）は断面図、（ｄ）は（ｃ）のＡ−Ａ線断面図である。
【図１１】図１１は本発明の実施の形態１及び実施の形態２に係る機能付シャワー装置の機能剤カートリッジのケースに機能剤放出体を収容した状態を示す平面図であり、（ａ）は実施の形態２の場合を、（ｂ）は実施の形態１の場合を示す。
【図１２】図１２は本発明の実施の形態２に係る機能付シャワー装置の機能剤カートリッジの組立方法を示す斜視図であり、（ａ）は機能剤カートリッジのケースから蓋体を取外し、ケースの通水部内に機能剤放出体を収容する状態を示し、（ｂ）は機能剤カートリッジのケースの通水部内に機能剤放出体を収容し、ケースに蓋体を取付けて機能剤カートリッジの組立を完成した状態を示し、（ｃ）は機能剤カートリッジをシャワーヘッドのシャワーキャップの所定位置に装着した状態を示す。
【図１３】図１３は本発明の実施の形態２に係る機能付シャワー装置の機能剤カートリッジの組立方法を示す斜視図であり、（ａ）は機能剤カートリッジのケースから蓋体を取外し、ケースの通水部内に機能剤放出体を収容する状態を示し、（ｂ）は機能剤カートリッジのケースの通水部内に機能剤放出体を収容し、ケースに蓋体を取付けて機能剤カートリッジの組立を完成した状態を示し、（ｃ）は機能剤カートリッジをシャワーヘッドのシャワーキャップの所定位置に装着した状態を示す。
【図１４】図１４は本発明の実施の形態３に係る機能付シャワー装置の内部構造を示す断面図である。
【図１５】図１５は本発明の実施の形態３に係る機能付シャワー装置の機能剤カートリッジの蓋体及び定流量弁を示す断面図であり、（ａ）は蓋体から定流量弁を取り外した状態を、（ｂ）は蓋体に定流量弁を挿着した状態を示す。
【図１６】図１６は本発明の実施の形態３に係る機能付シャワー装置の機能剤カートリッジの拡散板を示す平面図である。
【図１７】図１７は本発明の実施の形態４に係る機能付シャワー装置の内部構造を示す断面図である。
【図１８】図１８は本発明の実施の形態４に係る機能付シャワー装置の機能剤カートリッジの組立方法を示す斜視図であり、（ａ）は機能剤カートリッジのケースから蓋体を取外し、ケースの通水部内に機能剤放出体を収容する状態を示し、（ｂ）は機能剤カートリッジのケースの通水部内に機能剤放出体を収容し、ケースに蓋体を取付けて機能剤カートリッジの組立を完成した状態を示し、（ｃ）は機能剤カートリッジをシャワーヘッドのシャワーキャップの所定位置に装着した状態を示す。
【図１９】図１９は本発明の実施の形態４に係る機能付シャワー装置の機能剤カートリッジの組立方法を示す斜視図であり、（ａ）は機能剤カートリッジのケースから蓋体を取外し、ケースの通水部内に機能剤放出体を収容する状態を示し、（ｂ）は機能剤カートリッジのケースの通水部内に機能剤放出体を収容し、ケースに蓋体を取付けて機能剤カートリッジの組立を完成した状態を示し、（ｃ）は機能剤カートリッジをシャワーヘッドのシャワーキャップの所定位置に装着した状態を示す。
【図２０】図２０は本発明の実施の形態１〜実施の形態４に係る機能付シャワー装置の機能剤放出体に液状機能剤を含浸するために使用する含浸装置を示す正面図である。
【図２１】図２１は本発明の実施の形態５に係る機能付シャワー装置のシャワーヘッド部分を示す断面図である。
【図２２】図２２は本発明の実施の形態６に係る機能付シャワー装置のシャワーヘッド部分を示す断面図である。
【符号の説明】
【００９６】
１０：配管（給水源）
１００：グリップ（接続部）、１１１〜１１３：濾過層、１２２：切替リング（切替手段）
１２３：切替弁、１２４ｂ：入水口
２００：シャワーヘッド、２２１：切替ボタン（切替手段）
２４０：機能剤カートリッジ、２４１：ケース、２４２：通水部
２４５：機能剤放出体、２４７：定流量弁（吐水量制御手段）
２９０：機能剤カートリッジ、２９７：定流量弁（吐水量制御手段）
３００：ケース（接続部）、３１１：濾過層、３０５ｂ：入水口
４００：シャワーヘッド、４４０：機能剤カートリッジ、４４１：ケース
４４２ａ，４４２ｂ：通水部、４４５ａ，４４５ｂ：機能剤放出体
４９０：機能剤カートリッジ
５００：含浸装置、５１０：液剤タンク、５２３：気密室、５４０：真空ポンプ
５２５：エア導入部（圧力復帰手段）、５２６：操作ハンドル（圧力復帰手段）
６４０：機能剤カートリッジ、６４１：ケース、６４５：機能剤放出体
７４０：機能剤カートリッジ、７４１：ケース
【図１】
2006187378.tif 000003
【図２】
2006187378.tif 000004
【図３】
2006187378.tif 000005
【図４】
2006187378.tif 000006
【図５】
2006187378.tif 000007
【図６】
2006187378.tif 000008
【図７】
2006187378.tif 000009
【図８】
2006187378.tif 000010
【図９】
2006187378.tif 000011
【図１０】
2006187378.tif 000012
【図１１】
2006187378.tif 000013
【図１２】
2006187378.tif 000014
【図１３】
2006187378.tif 000015
【図１４】
2006187378.tif 000016
【図１５】
2006187378.tif 000017
【図１６】
2006187378.tif 000018
【図１７】
2006187378.tif 000019
【図１８】
2006187378.tif 000020
【図１９】
2006187378.tif 000021
【図２０】
2006187378.tif 000022
【図２１】
2006187378.tif 000023
【図２２】
2006187378.tif 000024